(57)【要約】  本発明は病巣レーザ療法中に癌性組織の排除のために必要な治療の場所及び幅を示す癌限界を決定する方法を提供する。本発明は病巣レーザ療法のためのシステム及びデバイス並びにそれらのシステム及びデバイスを使用する方法も提供する。本発明はＭＲＩ温度測定に依存せず、治療の精度を向上させる一方で、治療時間及びコストも減少させる。
2019503795.tif 000002
【特許請求の範囲】
【請求項１】
軟組織における癌限界決定の方法であって、
少なくとも１つのＭＲＩ可視病変を有する関心領域の少なくとも１つのＭＲＩ画像を取得するステップと、
前記少なくとも１つのＭＲＩ画像から前記少なくとも１つのＭＲＩ可視病変の３Ｄモデルを生成するステップと、
前記ＭＲＩ可視病変を取り囲む組織から少なくとも１つの生検コアを取得するステップと、
前記少なくとも１つの生検コアを、癌含有陽性結節、癌不存在陰性結節、又は未確定癌存在を有する中性結節として分類するステップと、
前記少なくとも１つのＭＲＩ可視病変の前記３Ｄモデルを少なくとも部分的に拡張して、癌性組織を含む陽性結節の任意の場所を取り囲んで、最小治療容積（ＭＴＶ）３Ｄモデルを生成するステップと、
前記ＭＴＶ３Ｄモデルを少なくとも部分的に拡張して、任意の潜在的癌性組織を覆うステップと、
前記ＭＴＶ３Ｄモデルを少なくとも部分的に収縮させて、任意の陰性結節場所を除外して、最適化された限界３Ｄモデルを生成するステップとを含む、
方法。
【請求項２】
前記ＭＴＶ３Ｄモデルは、前記中性結節の場所を取り囲むよう、少なくとも部分的に拡張される、請求項１に記載の方法。
【請求項３】
前記ＭＴＶ３Ｄモデルは、全方向に１ｃｍだけ等方に拡張される、請求項１に記載の方法。
【請求項４】
前記ＭＴＶ３Ｄモデルは、医療画像データに基づいて癌を宿していると思われる領域を取り囲むよう、少なくとも部分的に拡張される、請求項１に記載の方法。
【請求項５】
前記ＭＴＶ３Ｄモデルは、以前の生検の集団、以前に治療された患者の集団、又はそれらの両方の統計的な分析に基づいて癌含有領域を取り囲むよう、少なくとも部分的に拡張される、請求項１に記載の方法。
【請求項６】
軟組織の病巣レーザ療法のためのシステムであって、
レーザと、
少なくとも１つの熱センサと、
針ガイドと、
超音波プローブと、
３Ｄ走査及び場所追跡アセンブリと、
コンピュータプラットフォームとを含む、
システム。
【請求項７】
少なくとも１つの光センサを更に含む、請求項６に記載のシステム。
【請求項８】
少なくとも１つの熱感知要素と、少なくとも１つの光感知要素とを有する、少なくとも１つのマルチモードセンサを更に含む、請求項６に記載のシステム。
【請求項９】
前記レーザは、レーザファイバと、冷却剤と、二重管腔カテーテルと、冷却ポンプと、流量センサと、流量コントローラとを含む、請求項６に記載のシステム。
【請求項１０】
前記レーザファイバは、５〜５０Ｗの間の光を放射することができる、請求項９に記載のシステム。
【請求項１１】
前記冷却剤は、水又は生理食塩水の不活性溶液である、請求項９に記載のシステム。
【請求項１２】
前記冷却剤は、室温にあるか或いは室温より下にある、請求項９に記載のシステム。
【請求項１３】
細長い本体と、
第１のチャネル中心線を有する第１のチャネルと、
補助チャネル中心線を有する補助チャネルと、
複数のアタッチメントクリップとを含む、
マルチチャネル針ガイドデバイス。
【請求項１４】
ネジ、クランプ、ボルト、及びピンからなる群から選択される、ロック部材を更に含む、請求項１３に記載のマルチチャネル針ガイドデバイス。
【請求項１５】
前記複数のアタッチメントクリップは、前記マルチチャネル針ガイドデバイスを超音波プローブの前記本体に固定する、タブ、フック、又はスロットを含む、請求項１３に記載のマルチチャネル針ガイドデバイス。
【請求項１６】
前記第１のチャネルは、生検針、カテーテル、レーザファイバ、又はトロカールが通過するのに適した大きさとされる、管腔を有する、請求項１３に記載のマルチチャネル針ガイドデバイス。
【請求項１７】
前記補助チャネルは、熱センサ、光センサ、又はマルチモードセンサが通過するのに適した大きさとされる、管腔を有する、請求項１３に記載のマルチチャネル針ガイドデバイス。
【請求項１８】
前記第１のチャネル中心線及び前記補助チャネル中心線は、１〜２０ｍｍの間で離間する、請求項１３に記載のマルチチャネル針ガイドデバイス。
【請求項１９】
少なくとも１つの追加的な補助チャネルを更に含む、請求項１３に記載のマルチチャネル針ガイドデバイス。
【請求項２０】
軟組織のための病巣レーザ療法の方法であって、
治療されるべき患者の関心領域のリアルタイム３Ｄ超音波モデルを取得するステップと、
該リアルタイム３Ｄ超音波モデルの上に少なくとも１つの癌限界３Ｄモデルをオーバーレイするステップと、
少なくとも１つの予想損傷モデルを生成するステップであって、該少なくとも１つの予想損傷モデルは、前記少なくとも１つの癌限界３Ｄモデルと少なくとも部分的に重なり合う、ステップと、
前記少なくとも１つの予想損傷モデルに適合するよう、少なくとも１つのアブレーション設定と、前記患者の関心領域内の少なくとも１つのレーザファイバ場所とを計算する、ステップであって、該少なくとも１つのアブレーション設定は、レーザ電力出力と、レーザ曝露持続時間と、レーザ曝露速度と、冷却剤流速とを含む、ステップと、
前記患者の関心領域内少なくとも１つのセンサ場所を計算するステップと、
レーザファイバを前記少なくとも１つのレーザファイバ場所に挿入し、少なくとも１つのセンサを前記少なくとも１つのセンサ場所に挿入するステップと、
前記少なくとも１つのアブレーション設定に従って前記関心領域を切除するステップと、
前記切除される組織損傷の程度をモデル化することによって治療経過を監視するステップとを含む、
方法。
【請求項２１】
前記少なくとも１つの癌限界３Ｄモデルは、ＭＲＩ可視病変３Ｄモデル、ＭＴＶ３Ｄモデル、最適化された限界３Ｄモデル、及び生検コア場所を含む、請求項２０に記載の方法。
【請求項２２】
前記予想損傷モデルは、３つの入れ子式の楕円体を含み、最小の楕円体は、最小の予想損傷（ｍｉｎＥＤ）を表し、中間の楕円体は、平均の予想損傷（ａｖｅＥＤ）を表し、最大の楕円体は、最大の予想損傷（ｍａｘＥＤ）を表す、請求項２０に記載の方法。
【請求項２３】
前記予想損傷モデルの前記ｍｉｎＥＤは、前記ＭＴＶ３Ｄモデルの全体をカプセル化する、請求項２２に記載の方法。
【請求項２４】
前記少なくとも１つのセンサは、少なくとも１つの熱センサ、少なくとも１つの光センサ、少なくとも１つのマルチモードセンサ、又はそれらの任意の組み合わせを含む、請求項２０に記載の方法。
【請求項２５】
前記アブレーション設定は、９５℃よりも高い温度を生成することから制約される、請求項２０に記載の方法。
【請求項２６】
前記組織損傷の程度は、治療されている前記関心領域に隣接する組織の温度を測定することによってモデル化される、請求項２０に記載の方法。
【請求項２７】
前記組織損傷の程度は、前記少なくとも１つのアブレーション設定を実行した直後に組織の冷却速度を測定することによってモデル化される、請求項２０に記載の方法。
【請求項２８】
前記組織損傷の程度は、造影剤を用いた外観変化、血管分布変化、機械特性変化、又は組織温度変化の超音波測定によってモデル化される、請求項２０に記載の方法。
【請求項２９】
前記組織損傷の程度は、組織光学特性の熱誘導変更のレベルを定量化することによってモデル化される、請求項２０に記載の方法。
【請求項３０】
細長い中央熱センサと、
該中央熱センサに隣接し、該中央熱センサと平行である、少なくとも２つの光ファイバと、
各光ファイバの一端に位置付けられるプリズムと、
前記中央熱センサ、前記少なくとも２つの光ファイバ、及び前記プリズムを入れる、ハウジングとを含む、
マルチモードセンサプローブ。
【請求項３１】
各光ファイバが互いに隣接し且つ互いに平行である、少なくとも１つの光ファイバと、
各光ファイバの一端に位置付けられる温度感受性材料と、
前記少なくとも１つの光ファイバ及び前記温度感受性材料を入れる、ハウジングとを含む、
マルチモードセンサプローブ。
【請求項３２】
前記温度感受性材料は、蛍光体である、請求項３１に記載のマルチモードセンサプローブ。
【発明の詳細な説明】
【技術分野】
【０００１】
（関連出願の参照）
この出願は、２０１６年１月２６日に出願された米国仮特許出願第６２／２８７，１０５号の優先権を主張し、その全文を本明細書中に参照として援用する。
【背景技術】
【０００２】
前立腺癌（ＰＣａ）は、５番目に最も一般的な癌であり、男性においては２番目に最も一般的な癌である（Kamangar  F  et  al.,  J.  Clin.  Oncol.  24(2006):2137-2150）。従来、ＰＣａは、根治的全腺療法又は能動監視（ＡＳ）によって処置されている（Valerio  M  et  al.,  Fur.  Urol.  66.4(2014):732-751）。根治的前立腺切除術（ＲＰ）は死亡率を有意に減少させることが示されている一方で、ＡＳの下にある多くの男性は決して根本的介入を決して必要としないので、適切な行動方針を決定することは挑戦である（Bill-Axelson  A  et  al.,  N.  Engl.  J.  Med.  370(2014):932-942）。勃起不全、尿失禁及び直腸毒性を含む数多くの副作用と関連付けられるにも拘わらず（Kasivisvanathan  V  et  al.,  Clin.  Oncol.  25,(2013:461-473）、ＲＰは、高リスクのＰＣａを有する者に依然として適したままである（Heidenreich  A  et  al.,  Eur.  Urol.  59,(2011):61-71）。ＡＳは低リスクのＰＣａを有する男性に適している（Tosoian  JJ  et  al.,  J.  Clin.  Oncol.  29,(2011):2185-2190；  Bul  M  et  al.,  Eur.  Urol.  63,(2013):597-603）。しかしながら、潜在的に致命的な状態で暮らす恐れのような理由の故に、９０％よりも多くの適格男性がＡＳよりも介入を選択する（Barocas  DA  et  al.,  J.  Urol.  180,(2008):1330-1335）。関連する罹患率に加えて、ＰＣａの過度の治療の現在の傾向は、コストと大きな掛かり合いを有する。最近の報告は、「前立腺癌で決して死ぬことのない低悪性疾病を患う男性の８０％を治療することを回避する能力が全国的に年間１３億２０００万ドルを節約する」ことを確認した（Aizer  AA  et  al.,  J.  Natl.  Compr.  Canc.  Netw.  13,(2015):61-68）。その本質的に低レベルの関連する合併症及び最小侵襲的な性質を考えれば、病巣療法は低リスク及び中リスクの両方についてのＰＣａに対する低コストの代替を提供することがある。
【０００３】
レーザ間質性熱療法(laser  interstitial  thermal  therapy)（ＬＩＴＴ）は、ＰＣａの治療のための病巣療法の安全で有効な形態として実証されている（Natarajan  S  et  al.,  J.  Urol.  196,(2015):1-8；  Oto  A  et  al.,  MR  Imaging-guided  Focal  Laser  Ablation  for  Prostate  Cancer:  Phase  1  Trial.  (2013):267）。ＬＩＴＴは、拡散レーザ繊維を標的内に挿入すること及び組織温度を６０〜９５℃まで上昇させることからなる。癌制御を達成し、周囲構造に対する損傷を防止するために、この治療様式は、組織凝固のリアルタイムフィードバックを必要とする。組織炭化は、生理食塩水をレーザ繊維の周りで循環させる能動冷却カテーテルによって低減されるが、ペルチエ冷却器のような他の冷却方法を使用することができる。ＬＩＴＴ中の温度を監視する標準的なアプローチは、時間がかかり、労働集約的であり、高価である、磁気共鳴温度測定（ＭＲＴ）である。ＬＩＴＴの普及に対する重大な障壁は、磁気共鳴温度測定（ＭＲＴ）及び温度−時間熱線量モデルへの依存である。更に、有効性モニタとして病巣レーザ療法システム(focal  laser  therapy  system)と並行して一般的に使用されるアレニウス損傷計算は、今までのところ、熱誘発組織損傷の真の程度を決定する上で信頼性がないことが証明されている。
【発明の概要】
【発明が解決しようとする課題】
【０００４】
軟組織の病巣レーザ治療(focal  laser  therapy)のための改良されたシステム及び方法の必要が当該技術分野に存在する。本発明はこの必要性を満足する。
【課題を解決するための手段】
【０００５】
１つの態様において、本発明は、軟組織における癌限界決定の方法に関する。本方法は、少なくとも１つのＭＲＩ可視病変を有する関心領域の少なくとも１つのＭＲＩ画像を取得するステップと、少なくとも１つのＭＲＩ画像から少なくとも１つのＭＲＩ可視病変の３Ｄモデルを生成するステップと、ＭＲＩ可視病変を取り囲む組織から少なくとも１つの生検コアを取得するステップと、少なくとも１つの生検コアを、癌含有陽性結節、癌不存在陰性結節、又は未確定癌存在を有する中性結節として分類するステップと、少なくとも１つのＭＲＩ可視病変の３Ｄモデルを少なくとも部分的に拡張して、癌性組織を含む陽性結節の任意の場所を取り囲んで、最小治療容積（ＭＴＶ）３Ｄモデルを生成するステップと、ＭＴＶ３Ｄモデルを少なくとも部分的に拡張して、任意の潜在的癌性組織を覆うステップと、ＭＴＶ３Ｄモデルを少なくとも部分的に収縮させて、任意の陰性結節場所を除外して、最適化された限界３Ｄモデルを生成するステップとを含む。
【０００６】
１つの実施形態において、ＭＴＶ３Ｄモデルは、中性結節の場所を取り囲むよう、少なくとも部分的に拡張される。１つの実施形態において、ＭＴＶ３Ｄモデルは、全方向に１ｃｍだけ等方(isotropically)に拡張される。１つの実施形態において、ＭＴＶ３Ｄモデルは、医療画像データに基づいて癌を宿していると思われる領域を取り囲むよう、少なくとも部分的に拡張される。１つの実施形態において、ＭＴＶ３Ｄモデルは、以前の生検の集団、以前に治療された患者の集団、又はそれらの両方の統計的な分析に基づいて癌含有領域を取り囲むよう、少なくとも部分的に拡張される。
【０００７】
他の態様において、本発明は、レーザと、少なくとも１つの熱センサと、針ガイドと、超音波プローブと、３Ｄ走査及び場所追跡アセンブリと、コンピュータプラットフォームとを含む、軟組織の病巣レーザ療法のためのシステムに関する。
【０００８】
１つの実施形態において、システムは、少なくとも１つの光センサを更に含む。１つの実施形態において、システムは、少なくとも１つの熱感知要素と、少なくとも１つの光感知要素とを有する、少なくとも１つのマルチモードセンサを更に含む。
【０００９】
１つの実施形態において、レーザは、レーザファイバと、冷却剤と、二重管腔カテーテルと、冷却ポンプと、流量センサと、流量コントローラとを含む。１つの実施形態において、レーザファイバは、５〜５０Ｗの間の光を放射することができる。１つの実施形態において、冷却剤は、水又は生理食塩水の不活性溶液である。１つの実施形態において、冷却剤は、室温にある。１つの実施形態において、冷却剤は、室温にあるか或いは室温より下にある。
【００１０】
他の態様において、本発明は、細長い本体と、第１のチャネル中心線を有する第１のチャネルと、補助チャネル中心線を有する補助チャネルと、複数のアタッチメントクリップ(attachment  clips)とを含む、マルチチャネル針ガイドデバイスに関する。
【００１１】
１つの実施形態において、マルチチャネル針ガイドデバイスは、ネジ、クランプ、ボルト、及びピンからなる群から選択される、ロック部材(locking  member)を更に含む。１つの実施形態において、複数のアタッチメントクリップは、マルチチャネル針ガイドデバイスを超音波プローブの本体に固定する、タブ、フック、又はスロットを含む。
【００１２】
１つの実施形態において、第１のチャネルは、生検針、カテーテル、レーザファイバ、又はトロカールが通過するのに適した大きさとされる、管腔を有する。１つの実施形態において、補助チャネルは、熱センサ、光センサ、又はマルチモードセンサが通過するのに適した大きさとされる、管腔を有する。幾つかの実施形態において、第１のチャネル中心線及び補助チャネル中心線は、１〜２０ｍｍの間で離間する。１つの実施形態において、マルチチャネル針ガイドデバイスは、少なくとも１つの追加的な補助チャネルを更に含む。
【００１３】
他の態様において本発明は、軟組織のための病巣レーザ療法の方法に関する。方法は、治療されるべき患者の関心領域のリアルタイム３Ｄ超音波モデルを取得するステップと、リアルタイム３Ｄ超音波モデルの上に少なくとも１つの癌限界３Ｄモデルをオーバーレイするステップと、少なくとも１つの予想損傷モデルを生成するステップであって、少なくとも１つの予想損傷モデルは、少なくとも１つの癌限界３Ｄモデルと少なくとも部分的に重なり合う、ステップと、少なくとも１つの予想損傷モデルに適合するよう、少なくとも１つのアブレーション設定と、患者の関心領域内の少なくとも１つのレーザファイバ場所とを計算する、ステップであって、少なくとも１つのアブレーション設定は、レーザ電力出力、レーザ曝露持続時間、レーザ曝露速度、及び冷却剤流速を含む、ステップと、患者の関心領域内少なくとも１つのセンサ場所を計算するステップと、レーザファイバを少なくとも１つのレーザファイバ場所に挿入し、少なくとも１つのセンサを少なくとも１つのセンサ場所に挿入するステップと、少なくとも１つのアブレーション設定を実行するステップと、組織損傷の程度をモデル化することによって治療経過を監視するステップとを含む。
【００１４】
１つの実施形態において、少なくとも１つの癌限界３Ｄモデルは、ＭＲＩ可視病変３Ｄモデル、ＭＴＶ３Ｄモデル、最適化された限界３Ｄモデル、及び生検コア場所を含む。１つの実施形態において、予想損傷モデルは、３つの入れ子式の楕円体を含み、最小の楕円体は、最小の予想損傷（ｍｉｎＥＤ）を表し、中間の楕円体は、平均の予想損傷（ａｖｅＥＤ）を表し、最大の楕円体は、最大の予想損傷（ｍａｘＥＤ）を表す。１つの実施形態において、予想損傷モデルのｍｉｎＥＤは、前記ＭＴＶ３Ｄモデルの全体をカプセル化する。
【００１５】
１つの実施形態において、少なくとも１つのセンサは、少なくとも１つの熱センサ、少なくとも１つの光センサ、少なくとも１つのマルチモードセンサ、又はそれらの任意の組み合わせを含む。１つの実施形態において、アブレーション設定は、９５℃よりも高い温度を生成することから制約される。１つの実施形態において、組織損傷の程度は、治療されている関心領域に隣接する組織の温度を測定することによってモデル化される。１つの実施形態において、組織損傷の程度は、少なくとも１つのアブレーション設定を実行した直後に組織の冷却速度を測定することによってモデル化される。１つの実施形態において、組織損傷の程度は、血管分布変化(vascularity  change)、機械特性変化、又は組織温度変化の超音波測定によってモデル化される。１つの実施形態において、組織損傷の程度は、治療されている関心領域内の光散乱の量を測定することによってモデル化される。１つの実施形態において、組織損傷の程度は、組織光学特性の熱誘導変更のレベルを定量化することによってモデル化される。
【００１６】
他の態様において、本発明は、細長い中央熱センサと、中央熱センサに隣接し、中央熱センサと平行である、少なくとも２つの光ファイバと、各光ファイバの一端に位置付けられるプリズムと、中央熱センサ、少なくとも２つの光ファイバ、及びプリズムを入れる、ハウジングとを含む、マルチモードセンサプローブに関する。
【００１７】
他の態様において、本発明は、各光ファイバが互いに平行であり且つ互いに隣接する、少なくとも１つの光ファイバと、各光ファイバの一端に位置付けられる温度感受性材料と、少なくとも１つの光ファイバ及び温度感受性材料を入れる、ハウジングとを含む、マルチモードセンサプローブに関し、温度感受性材料は、蛍光体(phosphor)である。
【００１８】
本発明の実施形態の以下の詳細な記述は、添付の図面と共に読むときによりよく理解されるであろう。しかしながら、本発明は図面に示す実施形態の精密な構成（配置）及び手段に限定されないことが理解されるべきである。
【図面の簡単な説明】
【００１９】
【図１】軟組織の病巣レーザアブレーションのための癌限界決定の例示的な方法を描写するフローチャートである。
【図２】軟組織の病巣レーザアブレーションのための例示的なシステムの図面である。
【図３】例示的なマルチモードセンサプローブ先端の図面である。
【図４】他の例示的なマルチモードセンサプローブ先端の図面である。
【図５】２つのチャネルを有する例示的なマルチチャネル針ガイドの幾つかの図を描写する図面である。
【図６】前方視野からの２つのチャネルを有する例示的なマルチチャネル針ガイドとマルチチャネル向きの概念的な表示とを描写する図面である。
【図７】２つのチャネルを有する例示的なマルチチャネル針ガイドの第１のチャネル内への生検針の挿入を描写する図面である。
【図８】２つのチャネルを有する例示的なマルチチャネル針ガイドの頂面図及び底面図を描写しており、二重管腔カテーテルが第１のチャネルに挿入され、カテーテルが補助チャネルに挿入されている。
【図９】２つのチャネルを有する例示的なマルチチャネル針ガイドの使用と、前立腺を治療するために３つのチャネルを有する例示的なマルチチャネル針ガイドとを描写しており、それぞれは（複数の）補助チャネル内で少なくとも１つの多数の温度又は他の感知要素を使用する。
【図１０】軟組織の病巣レーザ療法の例示的な方法を描写するフローチャートである。
【図１１】レーザファイバ及び３つの熱プローブの例示的な前立腺内配置を示す図面である。レーザファイバは経直腸式に挿入され、熱プローブは経会陰式に挿入されている。軸方向の差込図に見られるように、熱プローブは、治療ゾーンの限界（プローブ１及び２）並びに直腸壁付近（プローブ３）での独立した温度測定のために使用されている。治療中、前立腺内温度は、（６秒毎に）ＭＲ温度測定法によって並びにマルチチャネル記録器(multi-channel  reorder)を介して（リアルタイムに）熱プローブによって継続的に監視され且つ記録される。ファイバ及びサーミスタの位置は、各治療中にＭＲ走査によって定期的に再確認される。
【図１２】治療された１０人の男性の基線特性を列挙した表である。
【図１３】有害事象共通用語基準（ＣＴＣＡＥ）４．０３版(version  4.03)によって等級付けされた各患者の有害事象を列挙した表である。全ての患者は１〜２時間内に退院させられた。
【図１４】病巣レーザアブレーション(focal  laser  ablation)（ＦＬＡ）前後の各患者についてのグリーソンスコア(Gleason  score)及び最大癌コア長(maximum  cancer  core  length)を列挙した表である。
【図１５】外来クリニック処置室内のＦＬＡのための例示的な部屋構成を描写している。
【図１６】治療中にレーザファイバ（赤色）及び熱プローブ（白色）を固定し且つ再配置するための安定したプラットフォームを提供する例示的なアルテミス融合デバイス(Artemis  fusion  device)を描写している。
【図１７】ＦＬＡ中の前立腺内のレーザファイバ（黄色）と熱プローブ（青色）との間の関係を示す図面を描写している。レーザファイバは経直腸式に挿入され、熱プローブは経直腸式及び経会陰式に挿入されている。腫瘍は、緑色に陰影付けられている。熱プローブは、処置を通じて前立腺内温度の継続的なモニタリングを提供する。前立腺内のレーザファイバの適切な位置付けは、リアルタイム超音波を用いて処置中に検証される。
【図１８Ａ】関心領域の決定を描写している。陽性及び陰性のコアを有する関心領域を示す融合生検の３Ｄ前立腺モデル。
【図１８Ｂ】関心領域の決定を描写している。ＦＬＡ治療の治療サイズを推定するために使用される患者特異的な３Ｄ前立腺モデル。
【図１９】生検で確認された腫瘍の当初の部位における全ての１０人の患者におけるアブレーションゾーンの局所化された低灌流(hypo-perfusion)を示す一連のダイナミックコントラスト強調（ＤＣＩ）ＭＲＩを描写している。
【図２０Ａ】患者６の撮像及び組織学的所見を描写している。治療前、ＭＲＩはグレード４のＲＯＩを示した。治療した最後の６人の男性の中で、３人において類似の結果が見出された。
【図２０Ｂ】患者６の撮像及び組織学的所見を描写している。グレード４のＲＯＩは、ＭＲＩ／ＵＳ融合生検（図２０Ｂ）で、グリーソン３＋４＝７ＣａＰ（図２０Ｃ）を明らかにした。治療した最後の６人の男性の中で、３人において類似の結果が見出された。
【図２０Ｃ】患者６の撮像及び組織学的所見を描写している。グレード４のＲＯＩは、ＭＲＩ／ＵＳ融合生検（図２０Ｂ）で、グリーソン３＋４＝７ＣａＰ（図２０Ｃ）を明らかにした。治療した最後の６人の男性の中で、３人において類似の結果が見出された。
【図２０Ｄ】患者６の撮像及び組織学的所見を描写している。ＦＬＡの６ヶ月後、ＲＯＩはＭＲＩ上でもはや見えない。治療した最後の６人の男性の中で、３人において類似の結果が見出された。
【図２０Ｅ】患者６の撮像及び組織学的所見を描写している。前立腺のＭＲＩ／ＵＳ融合生検は、癌を明らかにしなかった。治療した最後の６人の男性の中で、３人において類似の結果が見出された。
【図２０Ｆ】患者６の撮像及び組織学的所見を描写している。前立腺のＭＲＩ／ＵＳ融合生検は、凝固壊死のみを明らかにした。治療した最後の６人の男性の中で、３人において類似の結果が見出された。
【図２１】生体内レーザ間質熱療法（ＬＩＴＴ）中の温度及び百分率の細胞死の変化を描写している。細胞死はアレニウス統合アプローチ(Arrhenius  integral  approach)を用いて推定される。
【図２２】光学モニタリングシステムを試験する実験構成を描写する図面である。
【図２３】ＬＩＴＴ中の温度及び光起電力の変化を描写している。
【図２４】ＬＩＴＴ中の幾つかの損傷推定に対して光起電力の変化を比較している。
【図２５】病巣レーザアブレーション（ＦＬＡ）試験に登録した男性の基線特性(baseline  characteristics)を描写する表である。基線で、少なくとも１０個の系統的な生検コアを取得してマルチ病巣性(multi-focality)を排除し、ＭＲ可視関心領域、即ち、治療されるべき病変から少なくとも２つのコアを取得した。＊ＴＺ，移行ゾーン；ＰＺ，周辺ゾーン。＊＊ＵＣＬＡ評価システム（Natarajan  et  al.,  Urol  Oncol,  2011,29(3):334-342）。
【図２６】ＦＬＡ治療の４時間内及び６ヶ月内のＭＲＩ変化を描写した表である。治療直後のマルチパラメトリックＭＲＰ（ｍｐＭＲＩ）上で見られる非灌流領域によって決定されるような治療容積は、３ｃｃ（前立腺容積の７．７％）の中央値であった。＊ＦＬＡ後６ヶ月のＭＲＩ上の前立腺容積は、治療前容積に比較して有意に減少した（ｐ＝０．０３、Wilcoxon符号付き順位検定）。
【図２７】病巣レーザ療法で治療された全ての８人の男性についての時間に亘る前立腺特異なアンチゲンの量を描写するグラフであり、スクリーニングに先立つ値（〜６ヶ月）、ＦＬＡ治療に先立つ（０ヶ月）、並びに治療後追跡時（１、３、６ヶ月）の値を示している。ＰＳＡは、ＦＬＡの６ヶ月後に８ｎｇ／ｍＬから３．３ｎｇ／ｍＬに有意に低下した（ｐ＝０．００７８）。ＰＳＡ密度の有意な低下及び自由ＰＳＡの増大も観察された。
【図２８】レーザ先端から１３ｍｍ地点での、病巣療法患者＃６の熱プローブ読取値（灰色）に対するＭＲＩ温度測定値（ＭＲＴ）（黒色）を描写したグラフである。ＭＲＴによって報告された温度は、大部分は動作アーチファクトの故に、あらゆる場合において信頼できず、ノイズが多い。ＭＲＩ走査は１５００秒で終了したのに対し、熱プローブはデータを報告し続けた。ＭＲＩ走査パラメータ：（反復時間＝２４ｍｓ；エコー時間＝１０ｍｓ、視野＝２２０×２２０ｍｍ、フリップ角＝２５度；スライス厚さ＝４ｍｍ；分解能＝０．８６×０．８６ｍｍ）。
【図２９Ａ】ＦＬＡ中の前立腺内の温度変化を描写している。フィルタリングされた温度測定マップでオーバーレイされた病巣療法患者＃８のＭＲＩを描写している。レーザファイバからの熱は閉じ込められる、即ち、レーザ先端の周りの取り囲まれた領域に限定される。
【図２９Ｂ】ＦＬＡ中の前立腺内の温度変化を描写している。熱プローブによって記録された温度変化のチャートを描写している。温度プローブ１（レーザ先端から１６．６ｍｍ）及びプローブ３（レーザ先端から１４．４ｍｍ）は僅かな温度変化を示しているのに対し、プローブ２（レーザ先端から８．２ｍｍ）はアクティブ化期間（垂直バー）中に相当な加熱を記録している。
【図３０】病巣レーザアブレーションの２時間内の全ての８人の患者におけるダイナミックコントラスト強調ＭＲＩの画像を描写している。良く定められた灌流下領域（白色矢印）は、治療が重要構造から離れた標的領域に制約されたことを示している。
【図３１Ａ】ＦＬＡ前後の病巣療法患者＃６の前立腺を描写している。治療前、ＭＲＩは、グレード４関心領域を示した。
【図３１Ｂ】ＦＬＡ前後の病巣療法患者＃６の前立腺を描写している。グレード４関心領域は、標的化生検（図３１Ｂ）後に、グリーソン３＋４＝７前立腺癌を明らかにした（図３１Ｃ）。
【図３１Ｃ】ＦＬＡ前後の病巣療法患者＃６の前立腺を描写している。グレード４関心領域は、標的化生検（図３１Ｂ）後に、グリーソン３＋４＝７前立腺癌を明らかにした。
【図３１Ｄ】ＦＬＡ前後の病巣療法患者＃６の前立腺を描写している。ＦＬＡの６ヶ月後、当初の翰林領域は、もはや見えない。
【図３１Ｅ】ＦＬＡ前後の病巣療法患者＃６の前立腺を描写している。治療ゾーンからの標的化生検（図３１Ｅ）は、癌を示さず、凝固壊死及び古い出血の領域のみを示した（図３１Ｆ）。スクリーニング及び追跡統計的生検並びに治療ゾーンの限界（図示せず）からのコアも、前立腺癌について陰性であった。
【図３１Ｆ】ＦＬＡ前後の病巣療法患者＃６の前立腺を描写している。治療ゾーンからの標的化生検（図３１Ｅ）は、癌を示さず、凝固壊死及び古い出血の領域のみを示した（図３１Ｆ）。スクリーニング及び追跡統計的生検並びに治療ゾーンの限界（図示せず）からのコアも、前立腺癌について陰性であった。
【図３２Ａ】ＦＬＡ治療中の間質プローブ温度を描写したグラフである。非灌流領域から遠いプローブはより低い温度を受け、周囲組織への最小の損傷を保証する。
【図３２Ｂ】治療を受けた領域を非灌流として示す治療後ダイナミックコントラスト強調画像である。
【図３３Ａ】前立腺を精密切断するプロセスを描写している。３Ｄ印刷された患者特異的な鋳型（図３３Ａ）を使用して、ｍｐＭＲＩ（図３３Ｂ）をホールマウント組織学（図３３Ｃ）に相関させ、３Ｄ共同位置合わせ(co-registration)を行い、治療限界の決定のためのデータベースに寄与する。
【図３３Ｂ】前立腺を精密切断するプロセスを描写している。３Ｄ印刷された患者特異的な鋳型（図３３Ａ）を使用して、ｍｐＭＲＩ（図３３Ｂ）をホールマウント組織学（図３３Ｃ）に相関させ、３Ｄ共同位置合わせ(co-registration)を行い、治療限界の決定のためのデータベースに寄与する。
【図３３Ｃ】前立腺を精密切断するプロセスを描写している。３Ｄ印刷された患者特異的な鋳型（図３３Ａ）を使用して、ｍｐＭＲＩ（図３３Ｂ）をホールマウント組織学（図３３Ｃ）に相関させ、３Ｄ共同位置合わせ(co-registration)を行い、治療限界の決定のためのデータベースに寄与する。
【図３３Ｄ】前立腺を精密切断するプロセスを描写している。３Ｄ印刷された患者特異的な鋳型（図３３Ａ）を使用して、ｍｐＭＲＩ（図３３Ｂ）をホールマウント組織学（図３３Ｃ）に相関させ、３Ｄ共同位置合わせ(co-registration)を行い、治療限界の決定のためのデータベースに寄与する。
【図３４】ＭＲＩ疑惑レベル（ＵＣＬＡグレード３〜５）によって階層分類された腫瘍のグリーソンスコアを描写しており、ＭＲ疑惑が上昇するときに癌感受性が増大することを実証している。
【図３５】６５人の男性における前立腺癌及び臨床的に有意な前立腺癌の決定のための術前ｍｐＭＲＩの精度を描写した表である。患者特異的な鋳型を使用してホールマウントスライド(whole  mount  slides)をＭＲＩと相関させている。
【図３６Ａ】腫瘍組織学（図３６Ａ）とＭＲＩ（図３６Ｂ）との共同位置合わせを描写している。
【図３６Ｂ】腫瘍組織学（図３６Ａ）とＭＲＩ（図３６Ｂ）との共同位置合わせを描写している。
【図３６Ｃ】整合したＲＯＩを超える腫瘍の最大の広がりと不規則な輪郭が示されている。腫瘍容積及び最大腫瘍軸の両方の有意なＭＲＩ過小評価が明らかである。
【図３７】ＭＲＩ対ホールマウント組織学断面によって決定されるような整合した腫瘍及び前立腺の空間パラメータを描写した表である（Ｎ＝７１腫瘍、６５前立腺）。ＭＲＩは腫瘍容積及び最長軸を有意に過小評価した（整合させられたペアのｔ試験，ｐ＜０．０１）。
【発明を実施するための形態】
【００２０】
本発明は、病巣レーザ療法(focal  laser  therapy)中の癌性組織(cancerous  tissue)の排除に必要な治療の場所及び幅を示す癌限界(cancer  margins)を決定する方法を提供する。本発明は、病巣レーザ療法のためのシステム及びデバイス並びに病巣レーザ療法のためのシステム及びデバイスを使用する方法も提供する。本発明は、ＭＲＩ温度測定に依存せず、治療の正確さを向上させる一方で、治療時間及びコストも低減する。
【００２１】
（定義）
本発明の明確な理解に関連する要素を例示する一方で、明瞭性の目的のために当該技術分野において典型的に見出される多くの他の要素を排除するために、本発明の図及び記述は簡略化されていることが理解されるべきである。当業者は、本発明を実施する上で望ましい及び／又は必要な他の要素及び／又はステップを認識することがある。しかしながら、そのような要素及びステップは当該技術分野においてよく知られており、それらが本発明のより良い理解を促進しないので、そのような要素及びステップの議論は本明細書では提供されない。本明細書中の開示は、当業者に知られているそのような要素及び方法に対する全てのそのような変形及び修正に向けられている。
【００２２】
他の場所で定義されない限り、本明細書で使用される全ての技術用語及び科学用語は、本発明が属する技術分野の当業者によって一般的に理解されるのと同じ意味を有する。本明細書中に記載するものと類似又は均等な任意の方法及び材料を本発明の実施又は試験において使用することができるが、好ましい方法及び材料を記載する。
【００２３】
本明細書中で使用されるとき、以下の用語の各々は、この区画においてそれに関連付けられる意味を有する。
【００２４】
本明細書において、単数形の表現（冠詞「a」及び「an」）は、その冠詞の文法的目的の１つ又は１つよりも多く（即ち、少なくとも１つ）に言及するために使用される。一例として、「ある要素(an  element)」は、１つの要素又は１つよりも多くの要素を意味する。
【００２５】
量、時間的な持続時間、及び同等物のような、測定可能な値に言及する場合、本明細書で使用される「約(about)」は、以下のような変動が適切であるときには、特定の値からの±２０％、±１０％、±５％、±１％、及び±０．１の変動を包含することが意図される。
【００２６】
この開示を通じて、本発明の様々な態様を範囲形式で提示することができる。範囲形式の記述は、便宜及び簡潔性のために過ぎず、本発明の範囲に対する柔軟性のない制限として解釈されてならないことが理解さるべきである。従って、範囲の記述は、その範囲内の全ての可能な部分範囲並びに個々の数値を具体的に開示したものと考えられるべきである。例えば、１〜６のような範囲の記述は、１〜３、１〜４、１〜５、２〜４、２〜６、３〜６等のような部分範囲、並びにその範囲内の個々の数字、例えば、１、２、２．７、３、４、５、５．３、６、及びそれらの間の任意の全増分及び部分増分を具体的に開示したものと考えられるべきである。これは範囲の幅と無関係に当て嵌まる。
【００２７】
（軟組織の病巣レーザ療法のための癌限界決定の方法）
１つの態様において、本発明は、癌限界決定の方法を提供する。この方法は、放射線データ(radiology  data)と病理データ(pathology  data)とを組み合わせて、病巣レーザ療法(focal  laser  therapy)のために癌性組織の場所及び幅を表す３Ｄモデルを生成する。
【００２８】
ここで図１を参照すると、癌限界決定の例示的な方法１００が提示されている。方法１００は、ステップ１０２で開始し、ステップ１０２では、少なくとも１つのＭＲＩ可視病変を有する関心領域の少なくとも１つのＭＲＩ画像を取得する。ステップ１０４では、少なくとも１つのＭＲＩ画像から少なくとも１つのＭＲＩ可視病変の３Ｄモデルを生成する。ステップ１０６において、ＭＲＩ可視病変を取り囲む組織から少なくとも１つの生検コアを取得する。ステップ１０８において、少なくとも１つの生検コアを、癌含有陽性結節(cancer-containing  positive  node)、癌不存在陰性結節(cancer-absent  negative  node)、又は不確定癌存在(indeterminate  cancer  presence)を有する中性結節(neutral  node)として分類する。ステップ１１０において、少なくとも１つのＭＲＩ可視病変の３Ｄモデルを少なくとも部分的に拡張させ、癌性組織を含む陽性結節の場所を取り囲んで、最小治療容積(minimum  treatment  volume)（ＭＴＶ）３Ｄモデルを生成する。ステップ１１２において、ＭＴＶ３Ｄモデル限界(model  margin)を少なくとも部分的に拡張させる。幾つかの実施形態では、ＭＴＶ３Ｄモデル限界を等方的に拡張させる。他の実施形態では、少なくとも１つの中性結節を含むよう、或いは疑わしく見えるＭＲＩ又はＵＳ画像から見える任意の領域又は構造を含むよう、ＭＴＶ３Ｄモデルを拡張させる。ステップ１１４において、ＭＴＶ３Ｄモデルを少なくとも部分的に収縮させて、陰性結節の場所を排除して、最適化された限界３Ｄモデル(Optimized  Margin  3D  model)を生成する。
【００２９】
関心領域は、癌性組織を含む軟組織の領域を指す。関心領域の少なくとも１つのＭＲＩ画像を取得する方法は、当技術分野で一般的に使用される任意の適切なＭＲＩ方法であり得る。幾つかの実施形態において、ＭＲＩ方法は、マルチパラメトリックＭＲＩ(multi-parametric  MRI)を含む。少なくとも１つのＭＲＩ可視病変の３Ｄモデルを生成する方法は、複数のＭＲＩ画像を３次元表現に照合し得る任意の適切なソフトウェアを使用して実行されてよい。３Ｄモデルは、操作者が、少なくとも１つのＭＲＩ可視病変の大きさ、形状、及び場所を空間的に視覚化することを可能にする。３Ｄモデルは、生検コアが局所組織の代表的なサンプリングを取り込む（キャプチャ）一方で、敏感な解剖学的構造を回避するよう、操作者がＭＲＩ可視病変を取り囲む組織からの少なくとも１つの生検コアの取得を計画することも可能にする。
【００３０】
少なくとも１つの生検コアを取得する方法は、１２〜２０の間の針ゲージ(needle  gauge)を有する生検コア針(biopsy  core  needles)を使用する超音波（ＵＳ）誘導方法を含む、当該分野において知られた任意の適切な方法であることができる。典型的な生検コアは、直径及び長さを含み、癌性組織の空間的場所は、起源組織(origin  tissue)中の生検コアの源(source)及び生検コアの長さに沿う癌性組織の位置の両方によって決定されてよい。少なくとも１つの生検コアを、癌含有陽性結節、癌不存在陰性結節、又は不確定癌存在を有する中性結節として標識化すること(labelling)は、操作者が、ＭＲＩ画像中に見ることができない関心領域内の癌の実際の境界を識別することを可能にする。
【００３１】
生検コアサンプルは、少なくとも１つのＭＲＩ可視病変の３Ｄモデルの外側の場所にある癌含有組織を明らかにすることがある。３Ｄモデルは、陽性結節の不存在に対処するよう操作者によって変形させられてよい。例えば、操作者は３Ｄモデル内に膨らみ(バルジ)
(bulges)を導入して陽性結節を包んで(envelope)よく、全ての陽性結節を包む３ＤモデルはＭＴＶ３Ｄモデルを表す。
【００３２】
ＭＴＶ３Ｄモデルの拡張は非剛性であり、関心領域内の癌性組織の実際の境界により良く適合するよう操作者によって自由に変形させられることができる。ＭＲＩで明瞭に見えない関心領域内の癌性組織を取り込むために、ＭＴＶ３Ｄモデルは更に拡張せられてよい。１つの一実施形態において、ＭＴＶ３Ｄモデルは、全ての方向に等方的に拡張させられる。拡張の程度は、病変の場所、組織の種類、病変の種類、及び同等のことを含む、多くの要因に依存して異なることがある。例えば、敏感な解剖学的構造に近接近している病変について、３Ｄモデルの拡張は、敏感な解剖学的構造の方向を除く全ての方向にあってよい。他の例では、高レベルの脈管構造（血管系）を含む病変は、低レベルの脈管構造を有する良性の癌性組織を含む病変よりも大きい量の拡張を保証することがある。幾つかの実施形態において、ＭＴＶ３Ｄモデルは、全ての方向に１ｃｍだけ等方的に拡張させられる。
【００３３】
幾つかの実施形態において、ＭＴＶ３Ｄモデルは、任意の組織領域又は構造が癌を宿す可能性に基づいて拡張される。例えば、３Ｄモデルは、以前の生検の集団、治療を受けた患者の集団、又はそれらの両方における癌場所の統計的分析に基づいて異方的に拡張させられることがある。
【００３４】
ＭＴＶ３Ｄモデルは、少なくとも１つの陰性結節と重なり合うことがある。３Ｄモデルは、陰性結節の存在に対処するよう操作者によって変形されられてよい。例えば、操作者は、３Ｄモデル内に窪み(dimple)又は凹み(depression)を導入して陰性結節を排除してよく、結果として得られる３Ｄモデルは、最適化された限界３Ｄモデルを表す。
【００３５】
（軟組織の病巣レーザ療法のためのシステム）
他の態様において、本発明は、軟組織の病巣レーザ療法のためのシステムを提供する。システムは、ＭＲＩ温度測定の使用を必要としない一方で、温度及び治療経過のリアルタイムモニタリング（実時間監視）を依然として可能にして、軟組織の病巣レーザ療法を管理するのに必要とされる時間及び資源を減少させる。
【００３６】
ここで図２を参照すると、軟組織の病巣レーザ療法のための例示的なシステム２００の図が示されている。システム２００は、レーザ２１０と、少なくとも１つの光センサ２２０と、少なくとも１つの熱センサ２３０と、針ガイド２５０(needle  guide)と、超音波プローブ２６０と、３Ｄ走査及び場所追跡アセンブリ２７０と、コンピュータプラットフォーム２８０とを含む。
【００３７】
レーザ２１０は、レーザファイバ２１２と、冷却剤２１３と、二重管腔カテーテル２１４と、冷却ポンプ２１５と、流量センサ２１６と、流量コントローラ２１８とを含む。レーザファイバ２１２は、レーザ光を標的に誘導することができ、レーザ光を十分な出力で放射して凝固壊死を引き起こすことができる、任意の適切なレーザファイバであることができる。幾つかの実施形態において、レーザファイバ２１２は、光の焦点方向のためにその先端に拡散又は反射要素を含む。幾つかの実施形態では、適切なレーザファイバは、５〜５０Ｗの間の光を輸送し且つ放射することができる。より高いレーザエネルギ出力が能動冷却(active  cooling)によってサポートされ、冷却剤２１３は、冷却ポンプ２１５によってレーザファイバに隣接して循環され、流量センサ２１６及び流量コントローラ２１８によって制御される。１つの実施形態において、能動冷却は、レーザファイバ２１２を二重管腔カテーテル２１４の第１の管腔内に挿入し、二重管腔カテーテル２１４の第２の管腔を通じて冷却剤２１３を循環させることによって、達成される。冷却剤２１３は、生理食塩水又は水の不活性溶液のような、当該技術分野において使用される任意の適切な冷却剤であり得る。１つの実施形態において、冷却剤２１３は、室温にある。他の実施形態において、冷却剤は、室温より下にある。流量コントローラ２１８は、冷却剤循環の速度を変調するのに対し、流量センサ２１６は、冷却剤循環の速度を能動的に追跡し、冷却剤の制限された流れのような問題が生じた場合に操作者に警告する。幾つかの実施形態では、当技術分野において一般的に使用されるレーザをビジュアレーズ（Visualase）レーザアブレーションシステムのようなシステム２００に組み込んでよい。
【００３８】
少なくとも１つの光センサ２２０及び少なくとも１つの熱センサ２３０は、レーザ２１０の性能及び治療経過のリアルタイムモニタリングのための手段を提供する。少なくとも１つの光センサ２２０0は、レーザ流束量又はレーザ放射をインビボ（生体内）で測定することができる任意の適切なセンサであることができる。例えば、光ファイバが使用して関心領域からの光をフォトダイオードに給送してよい。同様に、少なくとも１つの熱センサ２３０は、サーミスタ又は蛍光センサのような、温度をインビボで測定することができる任意の適切なセンサであることができる。幾つかの実施形態において、システム２００は、少なくとも１つの光感知要素と少なくとも１つの感熱要素とを単一のデバイスに統合する、少なくとも１つのマルチモードセンサ２４０を含む。
【００３９】
針ガイド２５０は、器具の挿入方向を案内する少なくとも１つの直線チャネルを含む。例えば、針ガイド２５０の少なくとも１つのチャネルは、組織の領域内の正確な配置のために、レーザファイバ２１２、光センサ２２０、熱センサ２３０、マルチモードセンサ２４０、生検針、又はトロカールのような、器具を受け入れることがある。幾つかの実施形態において、針ガイド２５０は、本明細書の他の場所に記載するように、マルチチャネル針ガイドである。幾つかの実施形態では、針ガイド２５０を少なくとも部分的に超音波プローブ２６０に取り付けることができる。針ガイド２５０を超音波プローブ２６０に取り付けることは、操作者が両方のデバイスを一度に操作することを可能にする。
【００４０】
３Ｄ走査及び場所追跡アセンブリ２７０は、超音波プローブ２６０から送信される超音波画像を３Ｄモデルに変換する。３Ｄモデルは、操作者が治療されている組織の領域並びに組織の領域内に挿入される任意のデバイスの空間的な向きを視覚化することを可能にする。３Ｄ走査及び場所追跡アセンブリ２７０は、超音波プローブ２６０及び針ガイド２５０のような、組織の領域内に挿入される任意のデバイスの空間的な向きを制御する手段を更に含む。例示的な３Ｄ走査及び場所追跡アセンブリ２５０は、Artemis  MRI/Ultrasound  Fusion  Device  (Eigen,  Grass  Valley,  CA)を含む。
【００４１】
本明細書で想定されるように、コンピュータプラットフォーム２８０は、当業者によって理解されるような、デスクトップ若しくはモバイルデバイス、ラップトップ、デスクトップ、タブレット、スマートフォン又は他のワイヤレスデジタル／携帯電話、テレビ又は他の薄いクライアントデバイスを含む、当業者によって理解されるような任意のコンピューティングデバイスを含んでよい。
【００４２】
コンピュータプラットフォーム２８０は、本明細書を通じて記載するように、システム２００のコンポーネント（構成要素）にコマンド（命令）を送信して、受信信号を解釈することが十分にできる。特定の実施形態では、システムの部分は、コンピュータ操作されてよく、或いは他の実施形態では、システム全体がコンピュータ操作されてよい。コンピュータプラットフォームは、冷却剤流速、レーザ電力出力、並びに超音波周波数、強度、振幅、周期、波長、及び同等物のような、パラメータを制御するように構成されることができる。コンピュータプラットフォームは、角形成及び部分的ロック（部分的係止）のパラメータを含む３Ｄ走査及び場所追跡アセンブリ２７０でデバイスの作動を制御するように構成されることもできる。コンピュータプラットフォームは、受信信号を記録し、引き続き、受信信号をリアルタイムで解釈するように、構成されることができる。例えば、コンピュータプラットフォームは、受信信号を画像として解釈し、引き続き、画像をデジタルディスプレイに送信するように構成されてよい。コンピュータプラットフォームは、更に、受信信号に基づいて自動計算を実行して、密度、距離、温度、組成、画像化（撮像）、処理された容積（ボリューム）、及び同等物のような、データを出力してよい。コンピュータプラットフォームは、例えば、１つ又はそれよりも多くの静止画及び動画をスクリーン上に投影すること、１つ又はそれよりも多くの聴覚信号を提供すること、１つ又はそれよりも多くのデジタル読出しを提示すること、１つ又はそれよりも多くの光インジケータを提供すること、１つ又はそれよりも多くの（振動のような）触覚応答を提供すること、及び同等のことによる、受信信号及びデータ出力を伝達する手段を更に提供してよい。幾つかの実施形態において、コンピュータプラットフォームは、操作者がリアルタイム通信に応答してデバイスの使用を調整してよいように、受信信号及びデータ出力をリアルタイムで伝達する。例えば、制限された冷却剤の流れを示す流量センサ２１６からの信号に応答して、コンピュータプラットフォームは、レーザファイバ２１２の出力を減少させるか、或いは３Ｄ走査及び場所追跡アセンブリ２７０に指示して、患者からレーザファイバ２１２を引き抜いて怪我を防止してよい。
【００４３】
コンピュータプラットフォームは、単一のコンピューティングデバイス上に完全に存在してよく、或いは中央サーバ上に存在して、通信ネットワークを介して任意の数のエンドユーザデバイス上で動作してよい。コンピューティングデバイスは、少なくとも１つのプロセッサと、標準的な入力デバイス及び出力デバイスと、データを格納し且つプログラムを実行するための並びに必要に応じてネットワークを介してデータを送受信するためのコンピューティングデバイス上で典型的に見出される全てのハードウェア及びソフトウェアとを含んでよい。中央サーバが使用されるならば、それは１つのサーバであってよく、より好ましくは、全てがシステムの管理者又は操作者によって全て維持され且つ管理される、ネットワークメインフレームサーバ、ウェブサーバ、メールサーバ及び中央データベースサーバとしての機能を提供する、スケーラブルサーバ(scalable  server)の組み合わせであってよい。（複数の）コンピューティングデバイスは、例えば、追加的な記憶装置バックアップのために、直接的に又はネットワークを介して遠隔データベースに接続されてもよく、２つ又はそれよりも多くのコンピューティングデバイス間でのファイル、電子メール、ソフトウェア、及び任意の他のデータフォーマットの通信を可能にするために接続されてもよい。本発明のシステムによって利用されるデータベースの数、種類又は接続性に制限はない。通信ネットワークは、広域ネットワークであることができ、例えば、オープンな広域ネットワーク（例えば、インターネット）、電子ネットワーク、光ネットワーク、無線ネットワーク、物理的に安全なネットワーク又は仮想私設ネットワーク、及びそれらの任意の組合せのような、当業者によって理解される任意の適切なネットワーク化されたシステムであってよい。通信ネットワークは、通信ネットワークがシステムを通じた情報アイテム及び他のデータの送信に適することがあるように、ゲートウェイ、ルータ、ブリッジ、インターネットサービスプロバイダネットワーク、公衆交換電話ネットワーク、プロキシサーバ、ファイアウォール、及び同等物のような、任意の中間ノードを含んでもよい。
【００４４】
ソフトウェアは、印刷可能な結果報告書又は任意の通信可能に接続されたコンピューティングデバイスに送信することができる生成される電子メールメッセージ又は添付ファイルのような電子的な結果報告書を生成することのような、標準的な報告機構含んでもよい。同様に、前述のシステムの特定の結果は、アラート電子メール、テキスト又は電話の生成のように、アラート信号を引き起こして(trigger)、操作者に特定の結果を警告することができる。そのような機構のさらなる実施形態は、本明細書の他の場所に記載されているか、或いは当業者によって理解される標準的なシステムであってよい。
【００４５】
（マルチモードセンサプローブ）
他の態様において、本発明は、マルチモードセンサプローブを提供する。マルチモードセンサプローブは、本発明の方法の実施中に組織切除の強化されたモニタリングを提供する。
【００４６】
ここで図３を参照すると、例示的なマルチモードセンサ２４０ａが示されている。マルチモードセンサ２４０ａは、１つ又はそれよりも多くのセンサを保持する少なくとも１つの管腔を有する細長いケーシングを含む。例えば、本明細書の他の場所に記載するように、１つの実施形態において、マルチモードセンサ２４０ａは、マルチモードセンサ２４０ａの管腔内に平行に配置された少なくとも１つの熱センサ２３０と少なくとも１つの光センサ２２０とを含む。図３において、マルチモードセンサ２４０ａは、２つの光センサ２２０を含み、各光センサ２２０は、光ファイバ２２２と、プリズム２２４とを有する。光ファイバ２２２は、プリズム２２４が（レーザ拡散器に面する）０°の放射角及び（レーザ拡散器から見て外方を向く）１８０°の放射角を有する光を方向付けるよう、互いに対向して配置されている。熱センサ２３０は、光ファイバ２２２の間に位置付けられた蛍光光学熱プローブ(fluoroptic  thermal  probe)を含む。
【００４７】
ここで図４を参照すると、例示的なマルチモードセンサ２４０ｂが示されている。マルチモードセンサ２４０ｂは、光ファイバ２２２の端に位置付けられた少なくとも１つの熱センサ２２６を含む。少なくとも１つの熱センサ２２６は、それぞれ、温度感受性材料を含み、抵抗材料を含む温度感受性材料は、蛍光体であり、温度は、蛍光体のような物質を近赤外光で調べて(interrogating)、減衰周波数応答を観察することによって、測定される。特定の実施形態において、マルチモードセンサ２４０ｂは、レーザファイバ２１２からのクロストーク（漏話）を低減させるために受信器レクトロニクス(receiver  electronics)に組み込まれる９８０ｎｍの光のためのフィルタを含む。
【００４８】
マルチモードセンサは、電磁干渉の影響を受けず、柔軟性が高く、自己発熱に抗する、熱センサを含み、それは高熱中の測定誤差を低減する。典型的な性能は、５０℃範囲（３５〜８５℃）に亘って±０．５℃、０〜１２０℃の温度範囲に亘って±２℃のオーダにある。好ましくは、マルチモードセンサは、０〜１２０℃の範囲（例えば、Tefzel）におけるような、典型的にはＦＬＡにおいて直面する温度で又はその付近で熱的に安定する、光透過性の材料で構成される。マルチモードセンサは、非外傷性挿入のために１５Ｇａカテーテルの内側に適合することができる、直径１．５ｍｍより下であることができる。
【００４９】
（マルチチャネル針ガイド）
他の態様において、本発明は、新規のマルチチャネル針ガイド(multi-channel  needle  guide)を提供する。マルチチャネル針ガイドは、レーザファイバ及びセンサのような器具の誘導された挿入のためのプラットフォームを提供する。マルチチャネル針ガイドは、レーザ有効範囲(laser  coverage)及び治療経過を計算する目的のための精密な寸法を含む。
【００５０】
ここで図５を参照すると、例示的なマルチチャネル針ガイド３００が示されている。マルチチャネル針ガイド３００は、第１のチャネル３０２と、少なくとも１つの補助チャネル３０４と、複数のアタッチメントクリップ３０６とを有する、細長い本体を含む。幾つかの実施形態において、マルチチャネル針ガイド３００は、ロック部材３０８（係止部材）を更に含む。
【００５１】
第１のチャネル３０２は、第１のチャネル中心線３１０を含む。第１のチャネル３０２は、本発明の範囲内での使用に適した医療器具を受け入れるような大きさにされた管腔を有する。例えば、幾つかの実施形態において、第１のチャネル３０２は、生検針、カテーテル、レーザファイバ、又はトロカールに適合するような大きさにされた管腔を有する。第１のチャネル３０２は、任意の適切な長さを有することができる。幾つかの実施形態において、第１のチャネル３０２は、５〜１５ｃｍの間の長さのような、典型的な超音波プローブの長さ以下の長さを有する。
【００５２】
補助チャネル３０４は、補助チャネル中心線３１２を含む。補助チャネル３０４は、本発明の範囲内での使用に適した医療器具を受け入れるような大きさにされた管腔を有する。例えば、幾つかの実施形態において、補助チャネル３０４は、光センサ、熱センサ、又はマルチモードセンサに適合するような大きさとされた管腔を有する。補助チャネル３０４は、任意の適切な長さを有することができる。幾つかの実施形態において、補助チャネル３０４は、５〜１５ｃｍの間の長さを有する。幾つかの実施形態において、補助チャネル３０４は、第１のチャネル３０２と同じ長さを有するのに対し、他の実施形態において、補助チャネル３０４は、第１のチャネル３０２と異なる長さを有する。
【００５３】
幾つかの実施形態において、マルチチャネル針ガイド３００は、少なくとも１つの追加的なチャネルを更に含む。ここで図９を参照すると、前立腺の治療に関する一連の処置は、２つのチャネルを有するマルチチャネル針ガイド及び３つのチャネルを有するマルチチャネル針ガイドの使用を例示している。
【００５４】
図５に示すように、マルチチャネル針ガイド３００は、超音波プローブ２６０のような任意の適切な超音波プローブに取り付けられてよい。複数のアタッチメントクリップ３０６が、第１のチャネル３０２及び補助チャネル３０４から延びて、マルチチャネル針ガイド３００を超音波プローブ２６０に固定してよい。アタッチメントクリップ３０６は、タブ、フック、スロット、及び同等物のような、マルチチャネル針ガイド３００と超音波プローブ２６０との間の適合を強化する構成を含んでよい。特定の実施形態において、ロック部材３０８は、取付けの安全性を高めるために設けられる。ロック部材３０８は、ネジ、クランプ、ボルト、ピン、及び同等物のような、取付けを固定するために係合することができ且つ取外しのために係合解除することができる、任意の適切なロック機構であることができる。
【００５５】
マルチチャネル針ガイド３００は、マルチチャネル針ガイド３００と共に使用される器具によって検出されるデータの処理を容易にするよう特定の範囲の寸法を含む。ここで図５を参照すると、特定の寸法は、第１のチャネル３０２と補助チャネル３０４との間の距離に関する。横方向距離３１８は、第１のチャネル中心線３１０と補助チャネル中心線３１２との間の水平距離である。幾つかの実施形態において、横方向距離３８は、１〜２０ｍｍの間であることができる。垂直距離３２０は、第１のチャネル中心線３１０と補助チャネル中心線３１２との間の高さの差である。幾つかの実施形態において、垂直距離３２０は、１〜２ｍｍの間であることができる。
【００５６】
図５に示すように、他の寸法は、第１のチャネル３０２と、補助チャネル３０４と、超音波プローブ２６０との間の距離に関する。超音波プローブ２６０の基準点は、トランスデューサ中心線３１４である。垂直距離３２２は、第１のチャネル中心線３１０とトランスデューサ中心線３１４との間の高さの差である。幾つかの実施形態において、垂直距離３２２は、１０〜１５ｍｍの間であることができる。垂直距離３２４は、補助チャネル中心線３１２とトランスデューサ中心線３１４との間の高さの差である。幾つかの実施形態において、垂直距離３２４は、１０〜１４ｍｍの間であることができる。
【００５７】
ここで図６を参照すると、第１のチャネル３０２と、補助チャネル３０４と、超音波プローブ２６０との間の距離を記述する代替的な方法が提供されている。前方の観点から、トランスデューサ中心線３１４は、円の中心を表し、第１のチャネル中心線３１０及び補助チャネル中心線３１２は、円の周に沿って配置され、それぞれ、トランスデューサ中心線３１４から同じ距離を有する。その場合には、第１のチャネル中心線３１０と補助チャネル中心線３１２との間の距離を円弧３２６として記述することができる。幾つかの実施形態において、円弧３２６は、１〜２０ｍｍの間の長さを有することができる。
【００５８】
マルチチャネル針ガイド３００は、プラスチック、金属、又は複合材料のような、任意の適切な材料を含んでよい。好ましくは、マルチチャネル針ガイド３００は、非アレルギ性材料を含む。幾つかの実施形態において、マルチチャネル針ガイド３００は、上述の寸法の正確な測定値を列挙する少なくとも１つのラベルを含む。幾つかの実施形態において、正確な測定値は、マルチチャネル針ガイド３００上に直接的に印刷される。幾つかの実施形態において、正確な測定値は、バーコード、ＲＦＩＤチップ、又は情報転送のために走査（スキャン）に敏感に反応する他の媒体に格納される。
【００５９】
（軟組織の病巣レーザ療法の方法）
他の態様において、本発明は、本明細書で提供されるシステム及びデバイスを使用する軟組織のボア外(out-of-bore)病巣レーザ療法の方法を提供する。本方法は、ＭＲＩ体温測定に依存せずに、外来設定で行うことができる点において、従来技術に対する改良である。本方法は、治療経過のリアルタイムモニタリングのために超音波、光センサ、及び温度センサを使用し、治療の時間及びコストを削減する。
【００６０】
ここで図１０を参照すると、軟組織の病巣レーザ療法の例示的な方法４００が示されている。方法４００は、ステップ４０２で開始し、ステップ４０２では、治療されるべき患者の関心領域のリアルタイム３Ｄ超音波モデルを取り込む。ステップ４０４では、少なくとも１つの癌限界３Ｄモデルをリアルタイム３Ｄ超音波モデルの上にオーバーレイする。少なくとも１つの癌限界３Ｄモデルは、本明細書中で以前に記載した癌限界決定の方法から生成される３Ｄモデル、即ち、ＭＲＩ可視病変３Ｄモデル、ＭＴＶ３Ｄモデル、最適化された限界３Ｄモデル、及び生検コア情報を含む。ステップ４０６では、少なくとも１つの予想損傷モデルを生成し、少なくとも１つの予想損傷モデルを少なくとも１つの癌限界３Ｄモデルと少なくとも部分的にオーバーラップさせる。ステップ４０８では、患者の関心領域内の少なくとも１つのファイバ場所を計算し、少なくとも１つの予想損傷モデルに適合する少なくとも１つのアブレーション設定を計算し、少なくとも１つのアブレーション設定は、レーザ電力出力、レーザ曝露持続時間、レーザ曝露速度、及び冷却剤流速を含む。ステップ４１０では、患者の関心領域内の少なくとも１つのセンサ場所を計算する。ステップ４１２では、レーザファイバを少なくとも１つのレーザファイバ場所に挿入し、少なくとも１つのセンサを少なくとも１つのセンサ場所に挿入する。ステップ４１４では、少なくとも１つのアブレーション設定を実行する。ステップ４１６では、組織損傷の程度をモデル化することによって治療過程（治療進行）をモニタリングする。
【００６１】
治療されるべき患者の関心領域のリアルタイム３Ｄ超音波モデルは、超音波プローブ２６０及び３Ｄ走査及び場所追跡アセンブリ２７０に取り付けられた（マルチチャネル針ガイド３００のような）針ガイドを使用して取り込まれる。幾つかの実施形態では、超音波プローブ２６０を回転させて複数の角度で走査して３Ｄ超音波モデルを生成する。リアルタイム３Ｄ超音波モデルをコンピュータプラットフォーム２８０に伝送して表示する。
【００６２】
コンピュータプラットフォーム２８０は、リアルタイム３Ｄ超音波モデルを少なくとも１つの癌限界３Ｄモデル（ＭＲＩ可視病変３Ｄモデル、ＭＴＶ３Ｄモデル、最適化された限界３Ｄモデル、及び生検コア情報）と組み合わせる。コンピュータプラットフォーム２８０は、弾性位置合わせ(elastic  registration)を含むマルチモード画像融合(multi-modal  image  fusion)を使用して、患者のリアルタイム３Ｄ超音波モデルの上に癌限界３Ｄモデルをオーバーレイし、レーザファイバ位置決め、センサ位置決め、レーザ電力出力、及びレーザアクティブ化時間を含む、治療計画を作成する。
【００６３】
１つの実施形態において、コンピュータプラットフォーム２８０は、アブレーション設定から外れた治療計画に基づいてよく、その場合、高い冷却剤流速で３分に亘って１３．７５Ｗを放射するレーザファイバは、楕円体の形状を有し且つ約４ｃｃの容積を有する周囲組織に凝固壊死を引き起こす。周囲組織における脈管構造及び熱伝導率の変動は、３つのネスト化楕円体を含む予想損傷をもたらし、その場合、レーザファイバが楕円体の中心にある状態の、所与のセットのアブレーション設定で、最小の楕円体は、最小の予想損傷（ｍｉｎＥＤ）を表し、中程度の楕円体は、平均的な予想損傷（ａｖｅＥＤ）を表し、最大の楕円体は、最大の予想損傷（ｍａｘＥＤ）を表す。
【００６４】
コンピュータプラットフォーム２８０は、操作者がＭＲＩ可視病変３Ｄモデル、ＭＴＶ３Ｄモデル、最適化された限界３Ｄモデルの上に予想損傷モデルをオーバーレイすることを可能にする。操作者は、予想損傷モデルが前述の３Ｄモデルによって表示されるような癌が宿る組織をカプセル化するよう、例えば、空間的な場所、向き、及びスケールを変更することによって、予想損傷モデルを自由に操作してよい。幾つかの実施形態において、操作者は、複数の予想損傷モデルをオーバーレイして、全ての癌を宿す組織をより良く取り込んでよい。例えば、癌組織の形状が長方形であるか、或いは１つよりも多くの場所に存在するならば、操作者は、１つよりも多くの予想損傷モデルをオーバーレイしてよい。少なくとも、予想損傷モデルのｍｉｎＥＤは、ＭＴＶ３Ｄモデルの容積を完全にカプセル化しなければならず、さもなければ、癌性組織を未治療のままにする可能性がある。
【００６５】
幾つかの実施形態において、コンピュータプラットフォーム２８０は、敏感な解剖学的構成との予期される損傷モデルの重なり合いを検出する監視及び警告システムを含む。例えば、操作者が直腸壁のような敏感な構造への許容し得ない損傷を引き起こす予想損傷モデルを配置したことをコンピュータプラットフォーム２８０が検出するならば、警報が鳴ってよい。幾つかの実施形態において、コンピュータプラットフォーム２８０は、解剖学的構成を説明する治療計画を自動的に修正する変形アルゴリズムを含む。
【００６６】
コンピュータプラットフォーム２８０は、予想される損傷モデル容積を最適化された限界３Ｄモデルと比較することによって、並びに近接近する敏感な解剖学的構造を損傷する可能性を報告することによって、操作者によって配置される予想損傷モデルを使用して全ての癌を破壊する可能性を評価する。コンピュータプラットフォーム２８０によって提供される評価に基づいて、操作者は、許容し得る治療計画に達するまで、予想損傷モデル配置を補正してよい。
【００６７】
治療計画を許容し得ることの確認後、コンピュータプラットフォーム２８０は、理想的なレーザファイバの位置及び温度、予想損傷モデルに適合する光学的又はマルチモードセンサ位置、並びに敏感な解剖学的構造への損傷を最小に抑える適切な挿入角を計算する。幾つかの実施形態において、操作者は、マルチ針チャネルガイドの寸法をコンピュータプラットフォーム２８０にアップロードして計算を容易にする。操作者は、任意的に、温度モニタリングが追加的な場所で望まれるときに有利でる追加的なセンサを含むよう、コンピュータプラットフォーム２８０に指示してよい。
【００６８】
コンピュータプラットフォーム２８０は、予想損傷モデルに適合する理想的なアブレーション設定（レーザ電力出力、レーザ曝露持続時間、レーザ曝露速度、及び冷却剤流量）も計算する。操作者は、アブレーション設定に従って、予想される温度の範囲を提供される。操作者は、予想される温度を承認することができ、或いはアブレーション設定を拒否して手動で調整することができる。最大許容温度は、加熱の中心で組織蒸発のリスクに曝される前に、プローブ場所での温度の上限を示す。好ましくは、最高温度は、９５℃未満である。最低温度は、予想損傷モデルに適合するのに必要な凝固壊死のレベルを達するために必要とされるプローブ場所での最低温度である。操作者が追加的な熱センサを含めたならば、最大温度は追加的な熱センサごとに最高温度を設定されてよい。最大温度に到達後、コンピュータプラットフォーム２８０は、更なる損傷を防止するためにレーザ出力を低減又は遮断してよい。
【００６９】
コンピュータプラットフォーム２８０は、レーザファイバ及びセンサの適切な挿入角度及び計算された位置を３Ｄ走査及び場所追跡アセンブリ２７０に伝送する。３Ｄ走査及び場所追跡アセンブリ２７０を使用して、マルチチャネル針ガイド３００及び超音波プローブ２６０を所定の位置に移動させる。幾つかの実施形態では、エコー源性トロカールがマルチチャネル針ガイド３００の第１のチャネル３０２を通じて患者に挿入され、二重管腔カテーテルがエコー源性トロカールを通じて患者に挿入され、次に、レーザファイバが二重管腔カテーテルの管腔を通じて挿入される。光センサ２２０、熱センサ２３０、又はマルチモードセンサ２４０が、マルチチャネル針ガイド３００の補助チャネル３０４を通じて患者に挿入される。リアルタイム３Ｄ超音波モデルがレーザファイバ及びセンサの位置を追跡して正しい配置を確認する。
【００７０】
コンピュータプラットフォーム２８０は計算したアブレーション設定をレーザ２１０に伝送し、操作者は病巣レーザ療法を開始してよい。コンピュータプラットフォーム２８０によって計算されるアブレーション設定が推奨されるが、操作者はアブレーション設定を自由に修正することができる。幾つかの実施形態において、操作者は全治療線量(full  treatment  dose)を適用する前に試験燃焼(test  burn)を開始してよく、レーザファイバを低出力でアクティブ化して治療計画パラメータを調べる(interrogate)。
【００７１】
光センサ、熱センサ、又はマルチモードセンサによって提供される測定値に基づいて凝固壊死の程度をモデル化することによって、治療経過を監視する。幾つかの実施形態では、熱損傷モデルを使用して治療経過を監視することができる。予想損傷容積付近に配置される少なくとも１つの熱センサは、温度をリアルタイムで記録し、コンピュータプラットフォーム２８０は、温度及び位置情報を使用して予想損傷容積を通じて温度を補外し(extrapolate)、凝固壊死の程度を推定する。
【００７２】
幾つかの実施形態では、温度特性の治療誘発変化(treatment  induced  alteration)を使用して治療経過を監視することができる。温度特性の治療誘発変化の背後にある理論は、癌性組織を破壊することが、その脈管構造網(vascular  network)も破壊するはずであるということである。従って、温度特性の治療誘発変化は、凝固壊死をモデル化する手段として組織灌流の変化を調査する。脈管構造網が治療によって成功裡に破壊されるならば、組織冷却速度は有意に低下することが予想される。灌流の変化は、低出力で試験燃焼を行い、少なくとも１つの熱センサを使用して組織冷却速度を測定し、次に、全治療燃焼(full  treatment  burn)を行い、完全治療燃焼直後の組織冷却速度を測定することによって、観察されてよい。
【００７３】
幾つかの実施形態では、超音波画像の変化を測定することによって治療経過を監視することができる。様々な超音波撮像技法を使用して、組織損傷を推定してよく、それは組織温度、機械的特性、及び血管分布(vascularity)の変化を測定することを含むが、これらに限定されない。幾つかの実施形態では、微小泡(microbubbles)のような造影剤を使用して灌流速度の変化を検出し、レーザ適用中又は適用後の画像領域における凝固壊死のレベルを推定することができる。
【００７４】
幾つかの実施形態では、組織の光学特性における熱誘発変化を定量化することによって治療経過を監視することができる。光学特性の熱誘発変化の背景にある理論は、組織特性における熱誘発変化が組織の光学特性と上手く相関することである。光学モニタリングシステムは、リアルタイム容積測定情報を提供することもできる。組織内の光の伝搬は、吸収係数（μａ）及び減少した散乱係数（μＳ’）によって支配される。これらのいずれかの増加は、光の減衰の増加を引き起こす。研究は熱誘発組織損傷が総減衰の最大３倍の増加を引き起こし得ることを示した（Jaywant  S  et  al.,  Laser-Tissue  Interaction  1882,(1993):218-229;  Nau  WH  et  al.,  Lasers  Surg.  Med.  24,(1993):38-47）。従って、間質性レーザファイバから離れて配置される光学プローブによって測定される放射輝度は、組織凝固に応じて減少する（Whelan  WM  et  al.,  Int.  J.  Thermophys.  26,(2005):233-241）。一般的に使用される熱モニタリングシステムとは対照的に、光学的アプローチは、凝固を推定するために線量モデルに依存しない。組織光学特性の変化は、少なくとも１つの光センサを使用して観察されることがある。
【００７５】
幾つかの実施形態では、上述のモデルのうちの１つ又はそれよりも多くを使用して治療経過を監視することができる。特定の実施形態では、少なくとも１つの光感知要素と少なくとも１つの熱感知要素とを含むマルチモードセンサを使用して、上述のモデルのうちの１つ又はそれよりも多くを使用して治療経過を監視してよい。
【００７６】
レーザファイバ場所での治療後、コンピュータプラットフォーム２８０は、蓄積されたレーザエネルギ、時間、場所、及び治療計画に基づいて、治療の成功の確率を提供する。組織の熱変化が最初の予想損傷モデルを変更するならば、コンピュータプラットフォーム２８０は、治療計画を動的に更新して新しい予想損傷モデルに適合させてよい。操作者は、予想される損傷量の全範囲が完了するまで、レーザファイバ及びセンサを位置付け且つ挿入し、治療を管理し、且つ予想損傷モデルを更新する関連ステップを繰り返してよい。
【００７７】
（実験例）
以下の実験例を参照して本発明を更に詳細に記載する。これらの実施例は、例示の目的のために提供されているに過ぎず、特段の断りのない限り、限定的であることを意図されていない。よって、本発明は、以下の例に限定されるものと決して解釈されてならず、むしろ本明細書で提供される教示の結果として明らかになるありとあらゆる変形を包含するものと解釈されるべきである。
【００７８】
更なる記述がなくても、当業者は、先行する記述及び以下の例示的な例を使用して本発明を利用し、請求項に記載する方法を実施することがあると考えられる。従って、以下の実施例は、本発明の好ましい実施形態を具体的に指摘しており、本開示の残余を如何様にも限定するものと解釈されてならない。
【００７９】
（例１：前立腺癌の病巣レーザアブレーション：ガイダンスのためのＭＲ／ＵＳ融合の実現可能性）
病巣レーザアブレーション（ＦＬＡ）又はレーザ間質性熱療法（ＬＩＴＴ）は、手術又は電離放射線を用いずに前立腺癌を治療する方法である（Bomers  JGR  et  al.,  World  Journal  of  Urology  (2016):1-9）。ＦＬＡの目的は、隙間に配置された(interstitially  placed)拡散レーザファイバの使用によって癌性前立腺組織の凝固壊死を誘発することである（Lee  T  et  al.,  Reviews  in  urology  16.2(2014);  Stafford  RJ  et  al.,  The  Journal  of  urology  184.4(2010):1514-1520）。ＦＬＡは、１９９３年に前立腺治療について最初に記載されており（Johnson  DE  et  al.,  Lasers  in  surgery  and  medicine  14.4(1994):299-305）、数多くの最近の研究の対象である（Oto  A  et  al.,  Radiology  267.3(2013):932-940;  Natarajan  S  et  al.,  The  Journal  of  urology  196.1(2016):68-75）。
【００８０】
Lepor  H  et  al.,  European  urology  68.6(2015):924-926;  Eggener  SE  et  al.,  The  Journal  of  urology  196.6(2016):1670-1675;  Lindner  U  et  al.,  Journal  of  Endourology  24.5(2010):791-797。処置は安全で実現可能であると思われ、コア技術はＦＤＡ承認されているので、それは商業的に提供されている（Lepor  H  et  al.,  European  urology  68.6(2015):924-926）。
【００８１】
現在実施されているように、ＦＬＡは、ＭＲＩスキャナ（ボア内(in-bore)）のガントリ内で達成され、操作者は放射線科医である（Oto  A  et  al.,  Radiology  267.3(2013):932-940;  Natarajan  S  et  al.,  The  Journal  of  urology  196.1(2016):68-75;  Lepor  H  et  al.,  European  urology  68.6(2015):924-926）。ボア内ＦＬＡは、ＭＲＩガイダンスによる癌性領域の直接的な標的化を可能にし、ＭＲ温度測定を介した前立腺の温度変化のモニタリングも可能にする（Nour  SG,  Seminars  in  interventional  radiology.  Vol.  33.  No.  03.  Thieme  Medical  Publishers,  2016）。予備的な研究において、これらの構成は確認されたが、処置は長ったらしく、高価であり、資源集約的であることが判明した（Natarajan  S  et  al.,  The  Journal  of  urology  196.1(2016):68-75）。
【００８２】
以下の研究では、ＭＲＩスキャナ内の代わりに臨床設定（ボア外）で処置を行うことによって、ＦＬＡを簡素化することの安全性及び実現可能性を評価した。生検標的化のためのＭＲＩ／ＵＳ融合での広範な社内経験（Sonn  GA  et  al.,  The  Journal  of  urology  189.1(2013):86-92）が、標的化治療のために類似のアプローチを使用するための刺激(impetus)をもたらした。ボア内ＦＬＡ中の前立腺内温度(intra-prostatic  temperature)モニタリングのための熱プローブの以前の使用は、ボア外(out-of-bore)ＦＬＡのモニタリングが可能であることを示した（Natarajan  S  et  al.,  The  Journal  of  urology  196.1(20169:68-75）。従って、ＦＬＡは、ＭＲＩ／ＵＳ融合及び間質性熱プローブモニタリングを使用して泌尿器科クリニックで行われた。簡潔性の目的と調和を保って、局所麻酔及び最小限の鎮静作用のみを用いた。
【００８３】
次に、材料及び方法を記載する。
【００８４】
（患者）
中程度のリスクの前立腺癌を有する男性が本研究の対象であった。各々の場合において、癌はＭＲＩ／ＵＳ生検によってＭＲＩで見える関心領域（ＲＯＩ）内にのみ存在することを確認した。従前にＭＲＩ及び生検処置を記載した（Sonn  GA  et  al.,  The  Journal  of  urology  189.1(2013):86-92）。包含及び除外基準を図１２に示す。主要な終点(endpoint)は、６ヶ月のフォローアップ期間中に如何なる治療関連グレード３以上の有害事象（ＣＴＣＡＥ，ｖ４．０３）が存在しなかったことである。診査の終点は、尿及び性機能の低下、ＰＳＡの低下、及び組織構造(histology)又はＭＲ撮像の変化の欠如であった。融合生検にのために利用されるものと類似する部屋設定を使用してＦＬＡを行った（図１５）。患者の特性を図１３に示す。
【００８５】
（処置計画）
各患者はこの研究に登録するに先立ちアルテミス（Artemis）デバイスを介した標的化生検を受けた。それは各ＲＯＩ及び生検コアの場所を３Ｄで保存することを可能にする。各患者の撮像及び生検情報を使用して各治療を計画した。この初期段階の研究では、治療限界を意図的に保守的に維持した。
【００８６】
（処置プロトコル）
全ての男性に口腔キノロン及びセフトリアキソン又はエルタペネムの注射を用いた洗浄浣腸及び抗生物質予防法を与えた。処置の直前に、全ての患者はケトロラク（３０ｍｇ）及びミダゾラム（４ｍｇ）（最小限の鎮静作用）の単回静脈内投与を受けた。ブピバカインとリドカインの５０〜５０％混合物を使用して、経直腸式ＵＳ及び前立腺周囲神経遮断のために、患者を左側臥位置に配置した。前立腺周囲麻酔後、熱プローブの会陰挿入のために、患者を切石術位置に変えた。皮膚内リドカイン（１％）を使用して、２〜３のＭＲ適合性蛍光学熱プローブ（STB,  LumaSense,  Santa  Clara,  California）をリアルタイム超音波ガイダンスを使用して前立腺内に会陰式に配置した。他の場所（Natarajan  S  et  al.,  The  Journal  of  urology  196.1(2016):68-75）に記載したように、前立腺内温度モニタリングのために、少なくとも１つのプローブを直腸壁付近の後部前立腺内に前進させた。バイタルサインを継続的に監視し、各レーザアクティブ化前、中及び後に疼痛スコア（Hawker  GA  et  al.,  Arthritis  care  &  research  63.S11(2011):S240-S252）を数値的に評価した。
【００８７】
熱プローブの配置後、超音波プローブの再挿入及び図１６に示すアルテミス融合デバイス（Eigen,  Grass  Valley,  California,  USA）の固定追跡アームへのプローブの取付けのために、患者を側臥位置に戻した。計画前レーザファイバ位置及び手術前ＭＲＩをデバイスに装填し、リアルタイム超音波と融合させた。
【００８８】
レーザファイバの挿入のために、レーザファイバ用のチャネルと熱プローブ用の平行チャネルとを含む針ガイドを製造した。この針ガイドは、治療有効性のための直接的な前立腺内温度モニタリングのために、レーザファイバと平行な温度プローブの配置を可能にした。各プローブの温度、超音波情報、及び冷却ポンプの流量を使用して、処置を監視した。図１７は、ＦＬＡ中の前立腺内のレーザファイバ及びプローブの空間的関係の例を表示している。
【００８９】
１５Ｗ９８０ｎｍレーザ（Biotex）及び手術用注入ポンプ（K-pump,  KMI）を含む、既存のＭＲＩ誘導ＦＬＡシステム（Visualase,  Medtronic）のコンポーネントを、この新しい処置のために適合させた。リアルタイム超音波を使用して生検針先端をＲＯＩに誘導した。針を二重管腔カテーテルと交換した。二重管腔カテーテルは、レーザーファイバ（Uro-kit  600,  Medtronic）を含み、能動冷却のために生理食塩水を循環させる。アルテミス融合デバイスの固定アームは、処置中にレーザファイバを固定ための、並びに必要なときにレーザファイバを再配置するための、安定的なプラットフォームを提供した。
【００９０】
各治療において１〜３分間の１３．７５Ｗの数回のレーザアクティブ化を使用した。先験的計画とリアルタイム超音波画像との間の差、即ち、誤った位置合わせが観察されたならば、前立腺を再スキャンし、セグメンテーション及び位置合わせ手順を繰り返した。熱プローブは、処置を通じて前立腺内温度の継続的なモニタリングを提供した。直腸壁温度が４２℃を超えるならば、レーザ適用を手動で停止した。
【００９１】
各処置の終了前に、３つの基準マーカを前立腺に移植して、追跡撮像(follow-up  imaging)のための基準を提供した。１時間の観察期間後、患者は反復ｍｐＭＲＩを受けた。ダイナミックコントラスト強調（ＤＣＥ）ＭＲＩを使用して、切除ゾーンの非灌流を確認した。全ての患者は、ＦＬＡ後の１〜２時間内にキノロン抗生物質及び経口非麻薬性鎮痛薬を受けて退院した。
【００９２】
（追跡評価）
追跡調査を１週間、１ヶ月、３ヶ月及び６ヶ月で行った。各訪問は、詳細な履歴及び身体検査、有害事象のスクリーニング、薬剤調和、ＰＳＡ、及び健康関連の生活の質(quality
of  life)（例えば、ＩＰＳＳ，ＩＩＥＦ）質問表を含んだ。３ＴｍｐＭＲＩを６ヶ月で実施し、ＵＣＬＡで開発されたＰＩ−ＲＡＤＳスコアリング及び基準を用いて解釈した（１１，１３）。６ヶ月生検で、ＭＲＩ／ＵＳ融合（アルテミス）を使用して、元の腫瘍部位、切除ゾーン(ablation  zone)、切除ゾーンの限界、任意の新しいＲＯＩ、及び同側前立腺を通じた６つのテンプレート部位(template  sites)をサンプリングした。各前立腺の治療側から１２個の生検コア（範囲９〜１６）の平均を得た。
【００９３】
次に結果を記載する。
【００９４】
１１人の男性を登録し、１０人においてＦＬＡを成功裡に行った。各患者の要約が図１３に与えられている。１人の患者において、初期レーザアクティブ化の前にＦＬＡを中止した。この個体では、大きなＴＵＲＰ欠損と小さな前立腺（１５ｃｃ）との組み合わせが、前立腺内でのファイバの安全な固着を妨げ、治療を試みなかった。治療された１０人の患者のうち、平均処置時間は（７１〜１０５に及ぶ）９５分であった。最初の数人の患者の後に、レーザファイバのＵＳ位置測定(localization)を向上させるために、エコー源性誘導針を含むよう処置を修正した。各処置中に平均１４４秒に亘って１３．７５Ｗの出力で５回の中央値でレーザファイバをアクティブ化させた。ＲＯＩの完全な治療を確実にするために、レーザファイバを各患者について平均して２回再配置した。
【００９５】
（有害な事象）
６ヵ月の期間中に３２個のグレード１及び６個のグレード２の有害な事象を記録した。１人の患者は、試験登録前に計画されていた既存の腰部狭窄の選択的外科的矯正のためのＦＬＡ後、２ヶ月間入院した。血尿は、治療後の最も有害な事象であり、全ての患者において介入せずに解決した。全ての患者は、治療及び追跡ＭＲＩ後に、外来臨床処置室から退院した。治療に関連した重篤な有害な事象（＞グレード３，ＣＴＣＡＥ）に直面しなかった。
【００９６】
（ＦＬＡの臨床効果）
ＦＬＡ後の１週間、１ヶ月、３ヶ月、及び６ヶ月で、ＨＲＱＯＬ質問票を実行した。基線（ベースライン）での中央値ＩＰＳＳは７であり、５．５まで減少した。基線での中央値ＩＩＥＦ−５スコアは１４であり、１９まで増加した。変化は有意でなかった。基線での中央値ＰＳＡは、基線で７．３５ｎｇ／ｍｌであり、６ヶ月で２．５５ｎｇ／ｍｌまで減少した（Wilcoxon符号付き順位検定、ｐ＝０．２８）。
【００９７】
（温度データ）
全ての患者において蛍光光学熱プローブからのデータを成功裡に記録した。経直腸モニタに加えて、平均２つの経会陰プローブを前立腺に挿入した。レーザファイバの先端付近で記録した最大温度は６８℃であった。直腸モニタが４２℃に近づくならば、レーザアクティブ化は停止し、ファイバは前立腺内に再配置される。全ての場合において、直腸に最も近い熱プローブは４２℃未満の温度を記録した。
【００９８】
（ＭＲＩ変化）
処置の直後に、ＭＲＩは、各患者において、治療領域、即ち、アブレーションゾーンの密閉された局所化された低灌流(confined,  localized  hypo-perfusion)を明らかにした（図１９）。ＭＲＩによって決定されるようなアブレーションゾーンの容積の中央値は４．８ｃｃであった。Ｔ２又は拡散重み付け撮像における主要な治療関連変化は見られなかった。前立腺容積の中央値は、治療前〜治療後６ヶ月で有意に変化しなかった（３３対３２ｃｃ，ｐ＝０．４４，Wilcoxon符号付き順位検定）。
【００９９】
（６ヶ月生検結果）
追跡生検の結果は、ＦＬＡの操作者経験及びエコー源性針の追加に関連した。最初の４人の患者において、生検は、治療ゾーン及び限界の両方に臨床的に有意な疾病が継続的に存在することを明らかにした。次の６人の患者において、生検は、３人（治療ゾーン内に１人、限界内に２人）における微小焦点グリーソン３＋３疾病(micro-focal  Gleason  3+3  disease)と、他の３人の男性における癌の完全な不存在とを明らかにした（図１４）。治療ゾーンからの生検材料は、しばしば、熱効果と一致する間質性線維症、巨細胞反応、ヘモジデリン含有マクロファージ、及び慢性炎症を伴う、良性の前立腺及び間質を明らかにした。図２０Ａ〜図２０Ｆは、１人の患者におけるそのような所見を描写している。
【０１００】
病巣療法は、他の様式で頻繁に見られる治療関連の有害な事象を伴わずに局所化された癌制御を約束する、全器官ＣａＰ治療に対する新興の代替物である。前立腺ＭＲＩにおける改良は、病巣療法がＣａＰ治療におけるより実行可能な選択肢になることを可能にした（Cepek  J  et  al.,  Medical  physics  41.1(2014)）。最近の証拠は、病巣療法がＣａＰ治療に対する安全なアプローチであることを示唆している（Oto  A  et  al.,  Radiology  267.3(2013):932-940;  Natarajan  S  et  al.,  The  Journal  of  urology  196.1(2016):68-75;  Lepor  H  et  al.,  European  urology  68.6(2015):924-926）。最近の系統的レビューでは、Valerio  et.  Alが、病巣療法後の好ましい率の自制（９５〜１００％）及び勃起機能（５４〜１００％）を報告した（Valerio  M  et  al.,  European  urology  66.4(2014):732-751）。しかしながら、癌制御及びＨＲＱＯＬ結果に関する長期の臨床データの不足がある。ＦＤＡ、米国泌尿器学会、及び泌尿器腫瘍学会が主催する最近のワークショップは、「現在利用可能な技術は、合理的な精度で前立腺の選択的な切除を行うことができるが、ＰＧＡに適した患者の選択について基準は依然として議論の余地がある」と述べている（Jarow  JP  et  al.,  Urology  88(2016):8-13）。
【０１０１】
本研究では、ボア外ＦＬＡが外来クリニックにおける中リスクＣａＰの治療について技術的に実現可能であり且つ安全であることが見出されている。本研究は、ＦＬＡが泌尿器科クリニックの診療室内で直接的なＭＲＩ誘導なしに行われた点で、他の研究と異なる。ＭＲＩ／ＵＳ融合を用いて誘導及び標的化を達成し、熱プローブを使用して温度モニタリングを達成した。Lindner  et.  al.は、低リスクＣａＰを患う患者においてＭＲＩ／ＵＳ融合誘導を使用してＦＬＡを以前に行った（Lindner  U  et  al.,  The  Journal  of  urology  182.4(2009):1371-1377）。しかしながら、Lindner処置は、会陰式に行われ、全身麻酔を必要とした（Lindner  U  et  al.,  The  Journal  of  urology  182.4(2009):1371-1377））。現在の研究では、全ての患者を局所麻酔下で最小限の鎮静のみで治療し、治療後１〜２時間で退院させた。グレード３以上の有害な事象は観察されなかった。尿及び性機能はそのまま残った。
【０１０２】
フェーズ２試験において、シカゴ大学のEggener  et  alは、ボア内ＦＬＡが励みになる腫瘍学的結果をもたらすことを発見した（Eggener  SE  et  al.,  The  Journal  of  urology  196.6(2016):1670-1675）。その研究では、治療後３カ月のアブレーションゾーンの標的化生検が１／２７の男性のみに持続性の癌を明らかにした（Eggener  SE  et  al.,  The  Journal  of  urology  196.6(2016):1670-1675）。１２ヵ月で、系統的生検が１０人の男性（３７％）において癌を明らかにした。シカゴ大学の結果は現在の結果よりも優れているように見えるが、研究は比較可能でない。本研究では、ほぼ前例のないボア外アプローチの故に、安全性及び実現可能性が主要な関心の結果であった。腫瘍学的結果に関して、シカゴ大学の試験では殆どが低リスクであるのに対し、本試験の腫瘍は中リスクであった。また、生検は、早期の労力におけるよりも、本試験ではより広範囲であった。上記の相違にも拘わらず、アブレーション容積は両研究で類似であり、我々の独自のボア内結果と比較可能である（Natarajan  S  et  al.,  The  Journal  of  urology  196.1(2016)68-75）。重要なことには、報告された安全性の結果は、いずれのアプローチにおいても重大な有害事象を伴わずに、ボア内対ボア外で同じである。よって、局所麻酔下の泌尿器科クリニックにおける病巣レーザアブレーション（ボア外）の実施は、実現可能であり且つ安全であるように思われる。その上、ボア外処置は、比較的安価で迅速で効率的であることを約束する。
【０１０３】
本研究では、被験者は、温度モニタリングのためにＭＲ温度測定及び蛍光光学熱プローブの両方を使用した従前の試験後にモデル化された中リスクＣａＰを患う男性であった（Natarajan  S  et  al.,  The  Journal  of  urology  196.1(2016)68-75）。処置の安全性を示す熱プローブデータは、治療モニタリングのために熱プローブのみを使用することについての正当性であった。直接的な比較では、ＦＬＡ中の前立腺内温度の決定のために、熱プローブ記録をＭＲＩ温度測定と比較した（Natarajan  S  et  al.,  The  Journal  of  urology  196.1(2016)68-75）。この研究の結果は、安全性、ＨＲＱＯＬ、及び撮像に対する治療関連変化を含む、従前の研究と類似した。しかしながら、平均処置時間は、以前のボア内試験と比較して２９２分から９５分に減少した（Natarajan  S  et  al.,  The  Journal  of  urology  196.1(2016)68-75）。
【０１０４】
（例２：組織損傷の光学ベース推定）
放射輝度センサは、組織光学特性における凝固誘発変化に対する感受性が流束量センサよりも高いことを示している（Chin  LCL  et  al.,  Optics  Letters  29,(2004):959-961）。さらに、Chin  et  al.は、凝固ゾーンが発達するにつれて、（光源に面する）０度の放射輝度が信号において着実に減少することを実証した。対照的に、凝固境界がプローブをひとたび通過すると、（光源から見て外方を向く）１８０度での放射輝度が信号において増加する。熱誘起凝固は、散乱の増加を引き起こし、凝固フロントがプローブをひとたび通過すると、放射輝度センサに向かって散乱させられる後方散乱光子の増加をもたらす（Chin  LCL  et  al.,  Optics  Letters  29,(2004):959-961）。以下の研究では、熱センサと反対方向に面する２つの放射輝度センサとからなる統合マルチモードセンサが開発されている。そのようなプローブは、ファイバ先端の周りのチャー発達(char  development)及び凝固境界の両方を検出することができる。最適なアブレーションゾーンを達成するために、レイジングパラメータを変調させてよい。この技法を使用して、高強度集束超音波及び高周波を含む任意のアブレーションモダリティを監視することができる。それはＬＥＴＴに特に適している。何故ならば、その進行を監視するために、レーザ誘導凝固を使用することもできるからである。レーザーがひとたび非アクティブ化されると、凝固を監視する能力は失われるが、データは、急速冷却の故に、この段階では最小の損傷しか生じないことを示している（図２１）。
【０１０５】
研究は、図２２に示す構成を使用してウシ筋肉において研究を行った。カテーテルを介して光学プローブを組織に挿入する光学モニタリングシステムを開発した。それは意図される標的の周辺に戦略的に配置される。フォトダイオードを使用して間質光強度(interstitial  light  intensity)を光起電力に変換した。この光起電力は流束量又は放射輝度に比例する。図２２の構成において、プローブは８ｍｍの径方向距離で示されており、レーザ拡散器よりもさらに前進させられている。この構成が選択されたのは、生体外実験作業及び臨床試験データの両方が、レーザ拡散器が順方向に光を放出する傾向を有することを示したからである。カテーテルを使用して、蛍光光学温度プローブ（Lumasense,  Santa  Clarita,  CA）を正反対に配置して比較を行った。ＬＩＴＴを２００ｓに亘って１３．７５Ｗで実施した。
【０１０６】
温度と正規化された光起電力を図２３に示す。レーザアクティブ化から数秒内に、温度は上昇し始めるが、正規化された光起電力は低下する。正規化された光起電力が低下するのは、組織が凝固して、散乱係数の減少の増大、よって、全減衰の増大を引き起こすからである。興味深いことに、約６０秒後、正規化された光起電力は低下するのを停止する。これは凝固境界がセンサに近づいていることを示しているように思われる。これらの事象は熱センサによって検出されず、それは温度の着実な上昇を示し続けている。
【０１０７】
図２４は、以前に概説したのと同じパラメータを使用する損傷推定を追加している。再び、正規化された光起電力は処置を通じて低下し、組織凝固の発生を示しているのに対し、損傷推定値はいずれも１００秒まで有意な凝固を示していない。これは、熱システムとは異なり、光学モニタリングシステムが容積を通じて起こる光熱事象(opt-thermal  events)の瞬間的な表現を提供することを明確に実証している。更に、正規化された光起電力の勾配を使用してレーザ出力を変調することができる。例えば、急な勾配は、所望の容積が切除される前にチャー(char)が発生することを示すことがある。このデータを使用してレーザ出力を減少させことができ、よって、組織が炭化する(char)前に伝導を介してより大きな熱伝達を可能にする。このようにして、アブレーションゾーンの大きさを最大にすることができる。チャーもレーザファイバに損傷を引き起こす。組織がひとたび炭化させられると、治療を続けるためにファイバは再配置される必要がある。再び、光学モニタリングシステムはこの情報を提供することができるが、純粋に熱的システムはこの情報を提供することができない。
【０１０８】
（例３：前立腺ファントムを使用した検証）
凝固境界の伝播をリアルタイムに観察するために、前立腺組織の９８０ｎｍでの光学特性及び熱特性を模倣するファントム(phantom)を開発する。ファントムは、人間の前立腺について以前に見出された比熱容量（３．７７９Ｊ／（ｇ*Ｋ））及び熱伝導特性（０．５６Ｗ／ｍＫ）を含む（Giering  K  et  al.,  Thermochim.  Acta  251,(1995):199-205;  Van  den  Berg  CaT  et  al.,  Phys.  Med.  Biol.  51,(2006):809-825）。ファントムの２分の１は、Iizuka  et  al（Iizuka  MN  et  al.,  Lasers  Surg.  Med.  25,(1999):159-169）によって概説される動的光学特性を保有する。以前に得た吸収係数及び減少した散乱係数（μ’ｓ＝８．１ｃｍ−１、μａ＝０．６６ｃｍ−１）が使用される（Bu-Lin  Z  et  al.,  Int.  J.  Hyperthermia  24,(2008):568-576）。これはＬＩＴＴ中に光散乱特性が生体内で観察されるように変化することを保証する。ファントムの残余の半分は、光透過性アクリルアミドからなる。Zhang  et  al（Bu-Lin  Z  et  al.,  Int.  J.  Hyperthermia  24,(2008):568-576）によって実証されるように、高速カメラをこの側に配置して、凝固ゾーン発達を記録する。彼らの研究において、凝固領域はアブレーションアプリケータ(ablation  applicator)の周りの白色ゾーンとして明確に境界付けられた。更なるアプローチは、ＬＩＴＴ中に温度プロファイルを検査する有用な方法として実証されている熱変色インク(thermochromic  ink)を追加することである（Mikhail  AS  et  al.,  Med.  Phys.  4304(2016);  Negussie  AH  et  al.,  Int.  J.  Hyperthermia  6736(2016):1-5）。レーザ拡散器及びマルチモードセンサをファントムの２つの半体の間のインターフェース（界面）に配置する。マルチモードセンサ内の熱プローブ及び光ファイバをフォトダイオード及び温度モニタリングシステムにそれぞれ接続する。このアプローチは、凝固の半径と放射輝度との相関を可能にして、増加した後方散乱の故に凝固フロントがセンサを通過するときに１８０度での放射輝度が増加することを実証する（Chin  LCL  et  al.,  Optics  Letters  29,(2004):959-961）。
【０１０９】
（例４：前立腺癌の病巣レーザアブレーション）
前立腺癌（ＣａＰ）及び標的化生検の局所化のためのマルチパラメトリックＭＲＩ（ｍｐＭＲＩ）の出現は、病巣療法研究のための科学的基礎を提供している（Ahmed  HU  et  al.,  The  Journal  of  Urology,  2011,185(4):1246-1255;  van  den  Bos  W  et  al.,  Eur  Radiol,  2015,  1-9;  Lepor  H  et  al.,  European  Urology,  2015,  Epub  ahead  of  print;  Oto  A  et  al.,  Radiology,  2013,267(3):932-940）。理論的には、病巣療法は、治療に関連した病的状態(morbidity)が殆どない癌制御の可能性を提供するが（Ahmed  HU  et  al.,  The  Lancet  Oncology,  2012,  13(6):622-632）、これまでにほんの僅かの臨床試験しか実施されていない。Ahmed  et  al.は、４２人の男性におけるＭＲＩ特定病変を治療するために高強度集束超音波（ＨＩＦＵ）を使用した（Ahmed  HU  et  al.,  The  Lancet  Oncology,  2012,  13(6):622-632）。Oto及び同僚は、８人の男性におけるＭＲＩ特定病変を治療するために病巣レーザアブレーション（ＦＬＡ）を使用した（Oto  A  et  al.,  Radiology,  2013,267(3):932-940）。Van  den  Bos  et  alは、ＭＲＩ及び造影強化超音波の両方を用いて視覚化された病変を局所的に治療するために不可逆的電気穿孔法（ＩＲＥ）の使用を最近報告した（van  den  Bos  W  et  al.,  Eur  Radiol,  2015,  1-9）。
【０１１０】
病巣レーザアブレーション（ＦＬＡ）又はレーザ間質性熱療法は、ファイバ結合赤外レーザを介した前立腺の局所的な加熱に依存する（Lindner  U  et  al.,  The  Journal  of  Urology,  2009,182(4):1371-1377）。ＨＩＦＵとは異なり、ＦＬＡは、空洞形成(cavitation)、炭化(carbonization)、又は蒸発(vaporization)を回避しながら、組織を除去する凝固壊死に依存する（McNichols  RJ  et  al.,  International  Journal  of  Hyperthermia,  2004,20(1):45-56）。ＨＩＦＵ又はＩＲＥとは異なり、ＦＬＡは、全身麻酔を伴わない治療の機会を提供する。
【０１１１】
以下の研究の目的は、安全性及び実行可能性のデータを収集し、ＦＬＡを簡素化する可能性を探ることであった。このフェーズ１試験の第１の終点は、如何なるグレード３の有害事象（ＣＴＣＡＥ，ｖ４．０３）も存在しないことであった。探索的終点は、基線と比較した性機能及び泌尿器機能の変化並びに放射線学的及び組織学的な変化であった。今まで、ＦＬＡは、治療中の前立腺内温度モニタリングのためのＭＲ温度測定（ＭＲＴ）の潜在的な有用性及び直接的な画像誘導の故に、専ら（ボア内）ＭＲＩ管内でのみ行われてきた（Oto  A  et  al.,  Radiology,  2013,267(3):932-940）。以下の研究では、ＦＬＡの前に、ＭＲ適合性熱プローブを患者の前立腺内の様々な場所に配置した。研究設計は、ＦＬＡ中のＭＲＴ及び直接的な熱記録の同時比較を可能にした（Oto  A  et  al.,  Radiology,  2013,267(3):932-940）。
【０１１２】
次に材料及び方法を記載する。
【０１１３】
（患者）
この試験における患者は、臨床ステージが≦Ｔ２ｂ  ＣａＰであり、グリーソンスコア（ＧＳ）≦３＋４＝７である、５８〜７２歳の男性８人であった。８人全員を、標的化サンプリング及び系統的サンプリングの療法を含む、ＭＲ／ＵＳ融合生検によって診断し（Sonn  GA  et  al.,  The  Journal  of  Urology,  2013,189(1):86-92）、それは単一のＲＭ可視病変内にＣａＰを示し、前立腺内でＧＳ＞６を示さなかった。これらの男性は、他の場所に記載したコホート（同齢集団）で融合生検を受けた患者から入院基準毎に選択された（Sonn  GA  et  al.,  The  Journal  of  Urology,  2013,189(1):86-92）。ＰＩ−ＲＡＤＳ及び社内で考案した５点評価システムの両方を使用して、全身用コイルを使用した３Ｔ  ＭＲＩを取得し且つ解釈した（Sonn  GA  et  al.,  The  Journal  of  Urology,  2013,189(1):86-92）。診断の６ヶ月内にＦＬＡを実施した。患者特性を図２５に示す。
【０１１４】
（処置計画）
ＦＬＡを使用して、生検で確認した癌を伴う関心領域（ＲＯＩ）ＭＲ増強指標(MR-enhancing  index  regions  of  interest)を標的化した。ＭＲＩの３Ｄセグメント化によってＲＯＩ特性を決定した。前立腺内の各患者のＲＯＩ幾何学的形状及び場所に従ってＭＡＴＬＡＢ及びＣ＋＋を使用して開発したカスタムソフトウェアを使用して、ファイバ場所及び所望の限界を事前に計画した。ＭＲＩ組織病理学的相関を用いた以前の研究は、ＭＲＩが真実な腫瘍容積を１．５ｃｍまで系統的に過小評価することを示している（Priester  A  et  al.,  Int  Symp  Focal  Therapy  Imag  2014,  Pasadena,  CA,  Aug  21-23,  PP-24）。以前の生検情報、即ち、陽性コア及び陰性コアの３Ｄ場所を使用することによって、この限界を更に精緻化した。かなり大きなボア内経験の間に得られた予備データに基づいて、１２〜１５Ｗでの３分のレーザアクティブ化がレーザ先端の周りに径方向に約１ｃｍ延在する凝固壊死のゾーンを創り出すと推定した。
【０１１５】
（治療プロトコル）
患者をＭＲＩ管内に配置する前に、全ての被験者は、洗浄食塩水浣腸及び抗生物質、即ち、ＦＬＡの前日に開始する５日間の経口シプロフロキサシン及びＦＬＡ時の筋肉内セフトリアキソンを受けた。経直腸超音波誘導の下で１％リドカイン及び０．５％ブピバカインの前立腺周辺ブロックを投与した。必要に応じて精神的なベルセド(versed)及びフェンタニル（意識的な鎮静）の静脈内投与によって局所麻酔を補完した。ＦＬＡに先立ち、超音波誘導下で経会陰式に配置された小線源療法アプリケータ（Flexi-needle,  Best  Medical,  Springfield,  VA）を通じて、２〜３個のＭＲ適合性蛍光光学温度プローブ（STB,  LumaSense,  Santa  Clara,  CA）を前立腺内に前進させた。ＭＲＴとは無関係に、前立腺内熱変化の評価のために温度プローブを配置した。各患者について、直腸壁付近の後部前立腺内に少なくとも１つのプローブを挿入した。
【０１１６】
次に、患者をＭＲスイートに輸送し、ガントリ内の腹臥位置に配置した。経腹部コイル（Avant,  Siemens）を用いた１．５Ｔスキャナを使用した。経直腸前立腺針ガイド（DynaTRIM,  InvivoCorp.,  Gainsville,  FL）を使用して、レーザファイバを前立腺内に配置した。全ての処置について、１５Ｗ，９８０ｎｍレーザ、冷却ポンプ、及びＭＲ温度測定分析ワークステーションからなる、ビジュアレーゼシステム（Visualase  system）を使用した。システムは、ファイバを能動的に冷却するために生理食塩水を循環させる二重管腔カテーテル内に６００μｍのレーザファイバを組み込む。レーザエネルギの適用に先立ち、Ｔ２重み付けＭＲＩを用いてレーザ位置の確認を行った。
【０１１７】
治療中、前立腺内温度を継続的に監視し、熱プローブによって６秒毎にリアルタイムにＭＲＩによって記録した。治療中の前立腺内のレーザファイバ及びプローブの空間的関係の典型的な例を図１１に示す。ＭＲＩ走査によってファイバ及びプローブの位置を定期的に再確認した。
【０１１８】
各レーザ治療に先立ち、６〜８Ｗの試験線量を使用して、ＭＲＴの下でレーザファイバを局所化させた。執刀医はＭＲＴフィードバックに従ってレーザ出力及び冷却流量を手動で調節した。再治療に先立って挿入ライン内でファイバを前進又は後退させることによって、完全な病変治療のために必要に応じてファイバ挿入毎に複数のレーザ適用を実施した。
【０１１９】
レーザソフトウェアとＭＲＴを使用して、レーザ先端及び直腸壁の温度を監視して、温度が９０℃及び４２℃をそれぞれ超えないことを保証した。温度が監視閾値を超える場合、レーザ適用は自動的に停止させた。ビジュアレーゼソフトウェア(Visualase  software)は、ＭＲＴ画像の処理及び治療経過の表示を提供する（McNichols  RJ  et  al.,  International  Journal  of  Hyperthermia,  2004,20(1):45-56;  Lee  T  et  al.,  Reviews  in  Urology,  2014,16(2):55）。
【０１２０】
（追跡評価）
治療の直後に、ｍｐＭＲＩを取得して評価した。ダイナミックコントラスト強調ＭＲＩを使用して治療ゾーンを確認し、それを計画治療ゾーン及びＭＲＴマップと比較した。患者を回復室内で監視し、排便後、全ての人は数時間内に退院した。排出薬物は、キノロン抗生物質及び経口非麻薬性鎮痛薬を含んだ。
【０１２１】
ＦＬＡの１週間、１ヶ月、３ヶ月、及び６ヶ月後のクリニック訪問で、デジタル直腸検査（ＤＲＥ）、尿検査、排便後残留容積、国際前立腺症状スコア（ＩＰＳＳ）、男性の性的健康目録（ＳＨＩＭ）、前立腺特異抗原（ＰＳＡ）を得た。治療の６ヵ月後に治療前と同様にＭＲ／ＵＳ融合を使用して、ｍｐＭＲＩを繰り返し、前立腺の標的化生検を行った（Artemis,  Eigen,  Grass  Valley,  CA）。処置側の系統的コアに加えて、治療した領域及び限界の標的化生検コアをサンプリングした。基線及び６ヶ月追跡で３Ｔ  ＭＲＩを行い、ＵＣＬＡによって開発されたスコアリング基準に加えてＰＩ−ＲＡＤＳｖ２スコアリング（Barentsz  JO  et  al., Eur  Radiol,  2012,22:746）を用いて解釈した（Sonn  GA  et  al.,  The  Journal  of  Urology,  2013,189(1):86-92;  Natarajan  S  et  al.,  Urologic  Oncology:  Seminars  and  Original  Investigations,2011,29(3):334）。
【０１２２】
次に結果を記載する。
【０１２３】
各処置中、１１〜１４Ｗの出力で患者当たり平均７回の適用を含む平均３回レーザファイバを再導入した。目標は、ＭＲＴフィードバック安全機構が許す限り各適用を行うことであった。平均処置時間は、患者の準備、熱プローブの挿入、レーザ治療、及び治療後撮像を含めて、２９２分であった。ＭＲＩスキャナ内の実際の時間は平均２２３分（１６９〜２６７分の範囲）であった。
【０１２４】
中央値の前立腺容積は、６ヶ月後に３５．５ｃｃから３２．５ｃｃ（ＭＲＩ）に減少した（ｐ＝０．０３、Wilcoxon符号付き順位検定、図２６）。基線での中央値のＰＳＡは、７．４５ｎｍ／ｍｌであり、１ヶ月後に３．３ｎｇ／ｍｌに有意に低下し、６ヶ月間持続した変化であった（ｐ＜０．０１、Wilcoxon符号付き順位検定）。８人の男性のうちの５人において、６ヶ月でＰＳＡはスクリーニング時の値の半分未満に減少した。自由ＰＳＡのパーセントは、７．５％から１４％に有意に増加した（ｐ＝０．０４７、Wilcoxon符号付き順位検定）。中央値のＰＳＡ密度は、０．２２から０．０８ｎｇ／ｍＬに低下した（ｐ＝０．０５５、Wilcoxon符号付き順位検定）。８人全員のＰＳＡ結果を図２７に示す。
【０１２５】
（有害事象）
９ヶ月の期間に亘って２３個のグレード１及び７個のグレード２の有害事象（ＣＴＣＡＥ，ｖ４．０３）を記録し、それらの全ては自発的に解決した。最も一般的な症状は、血尿（１２）、血精液症（４）、及び血便（１）であった。全てのグレード２事象は、８日の評価内に解決した。全ての患者は６時間内に退院し、治療後に鎮痛のための麻薬性鎮痛を必要とした者はいなかった。
【０１２６】
（健康に関連する生活の質の測定値）
スクリーニング時に、並びに１週間、１カ月、３カ月及び６カ月の時点に、全ての８人の男性に対してＩＰＳＳ及びＳＨＩＭを収集した。中央値のＩＰＳＳは、スクリーニング時に４であり、６ヶ月で３．５に減少した。中央値のＳＨＩＭは、スクリーニング時に１９．５であり、６ヶ月で２０に増加した。健康に関連する生活の質のメトリック(health-related  quality  of  life  metric)のいずれにも統計的に有意な変化は６ヶ月後に観察されなかった（それぞれｐ＝０．３７，ｐ＝０．７８）。尿失禁、勃起障害、又は射精の変化は、いずれの患者によっても報告されなかった。
【０１２７】
（温度データ）
全ての患者についてデータを成功裡に収集したが、これらのデータは患者の動きに非常に敏感であった（図２８）。８人の患者のうちの６人について蛍光光学熱プローブからのデータを記録し、最初の２つは技術的に不満足であった。これらの６人の患者では、治療ゾーンの外側の全ての前立腺内場所において平均温度は４０℃より下であった（図２９Ａ、図２９Ｂ）。
【０１２８】
（ＭＲＩ変化）
各患者について、マルチパラメトリックＭＲＩ（ｍｐＭＲＩ）を診断前、介入直前、及びＦＬＡ直後に取得し、再び６ヶ月時に取得した。組織容積及び潅流の変化が注目され、図２６に要約されている。Ｔ２又はＤＷＩに一貫した変化はなかった。ＤＣＥのみを使用して治療直後の効果を決定した（Oto  A  et  al.,  Radiology,  2013,267(3):932-940）。各患者において、限定的な灌流の領域は、重要な構造から離れて、治療領域内にあり、３ｃｃの中央値容積を有した（図３０）。処置中の腫脹及び治療後の有意な収縮（ｐ＝０．０３、Wilcoxon符号付き順位検定）を含む、腺の形態学的変化は、治療領域の局所化を混乱させた。一般的に、ＦＬＡ直後のＤＣＥが示すような治療ゾーンは、６ヶ月時にはもはや明らかでなかった。
【０１２９】
（組織学的変化）
ＦＬＡの６ヶ月後にＭＲ／ＵＳ融合（Filson  CP  et  al.,  CA:  A  Cancer  Journal  for  Clinicians,  2015,  65:265）を使用して追跡標的化生検を行った。生検は、治療領域／元の癌の病巣、治療ゾーンの周りの限界、及び治療された側の系統的な生検を標的とした。各患者から平均１５個のコア（範囲：１３〜１７）を取得した。生検は、如何なる安全性の懸念の証拠も示さなかった（即ち、感染性、外傷性、又は新生物性の有害な変化は見られなかった）。最も一般的な治療関連の所見は、線維症の病巣領域であり、ヘモジデリンを含むマクロファージの存在がしばしば点在し、古い出血の再吸収を示す（図３１）。
【０１３０】
８人の男性のうちの５人では、治療された領域に癌は見出されなかった。患者３、７及び８では、治療された領域にＣａＰが見出された（７．５ｍｍ  ＧＳ  ３＋４，２．５ｍｍ  ＧＳ  ３＋４，１ｍｍ  ＧＳ  ６、全ての長さは、最大癌コア長をミリメートルで示されている）。治療ゾーンに隣接するが治療ゾーンの外側にある組織では、６人の患者が持続性腫瘍を有した（１．４ｍｍ  ＧＳ  ４＋４、５．５ｍｍ  ＧＳ  ３＋４、７．５ｍｍ  ＧＳ  ３＋４、２．５ｍｍ  ＧＳ  ６、０．５ｍｍ  ＧＳ  ６、８ｍｍ  ＧＳ  ６）。１1人の患者は、治療ゾーンから離れた系統的生検で腫瘍を有することが見出された（３ｍｍ  ＧＳ  ３＋４）。患者６の生検ではＣａＰは見出されなかった。
【０１３１】
過去数十年間に亘って加速する最小侵襲治療に向かう傾向は、前立腺癌（ＣａＰ）ケアに実質的な影響を有する可能性が高い。国立癌研究所の推定によれば、病巣療法は、近い将来、全てのＣａＰ治療の最大２５％を包含することがある（Mariotto  AB  et  al.,  Journal  of  the  National  Cancer  Institute,  2011,  103:699）。病巣療法は、まだ定義されていないＣａＰ集団のサブセットについて、低下した治療に関連する病的状態を伴う癌制御の希望をもたらす。しかしながら、新しい介入の安全性及び有効性に関するデータは希薄であり、画像誘導治療を利用する臨床試験は殆どない（Klotz  L  et  al.,  Nature  Reviews  Clinical  Oncology,  2014,  11(6):324-334）。
【０１３２】
本研究では、前立腺の病巣レーザアブレーション（ＦＬＡ）の可能性を幾つかの方法で前進させた。第１に、初期の研究を確認すると、重篤な有害事象又は泌尿器機能又は性機能の変化を伴わない、中リスクのＣａＰを患う男性において、前立腺のＦＬＡは安全であることが示された（Oto  A  et  al.,  Radiology,  2013,  267(3):932-940;  Lindner  U  et  al.,  The  Journal  of  Urology,  2009,  182(4):1371-1377;  Lindner  U  et  al.,  Journal  of  Endourology,  2010,  24(5):791-797;  Lindner  U  et  al.,  The  Journal  of  Urology,  2013,  4(189):e227-e228）。経直腸的アプローチは実現可能であることが判明した。第２に、二次安全モニタの追加は、ほぼ１４Ｗでの３分間のアクティブ化の間でさえも、レーザ温度が意図される治療ゾーンに十分に限定されることを確認する。第３に、この研究中の広範な生検追跡結果は、以前に考えられていたよりも大きな限界が効果的な病巣療法に必要である場合があることを示す。LeNobin  et  al.は、完全な腫瘍切除のために、ＭＲＩ標的の周りの１センチメートルの限界が必要とされる場合があることを示唆している（LeNobin  J  et  al.,  The  Journal  of  Urology,  2015,  194:364）。
【０１３３】
本研究で治療された癌は、低リスクでなく、中リスクであった（ＮＣＣＮ）。Otoの研究では、治療された癌は、８人の患者のうちの７人においてグリーソン３＋３＝６の小さなスポットであった（Oto
A et al., Radiology, 2013, 267(3):932-940）。本研究では、８人のうちの７人が３＋４＝７のグリーソンスコアを有し、４ｍｍを超える中央値の最大コア長を有した。よって、ここでの患者の選択は、中リスクの男性を治療するための現在のコンセンサスの推奨と一致している（Donaldson  IA  et  al.,  European  Urology,  2015,  67(4):771-777）。追跡の６ヶ月時に、８人の患者のうちの５人における元の癌保有病巣の包括的な生検後に癌は検出できず、中リスクの個体における効果的なＦＬＡの可能性を示唆している。
【０１３４】
これらの初期的な研究から、ＦＬＡの病気を治す成功率を決定することは困難である。本ボア内研究は、ＦＬＡを用いた予備的な経験であり、安全性が第１の関心事であり、レーザ配置を保守的にさせる。以前に利用されたよりも大きい限界又は以前に利用されたよりも積極的な治療パラメータは、中リスク集団における全てのＣａＰを排除するのに有効である場合がある。
【０１３５】
（例５：オフィスベースの病巣レーザアブレーション）
病巣レーザアブレーション（ＦＬＡ）は、リアルタイムＭＲＩ誘導の下で前立腺癌（ＣａＰ）を安全に治療するために使用されてきたが、面倒で、時間がかかり、資源集約的であり、放射線処置としてアプローチされる。以下の研究は、広範な標的化生検経験を用いて、ＭＲＩ／超音波（ＭＲＩ／ＵＳ）融合誘導の下で泌尿器科クリニックにおいてＦＬＡを行うための基礎を提供した。
【０１３６】
単一のＭＲ可視病変において生検で確認された中リスク（グリーソン３＋４）ＣａＰを有する４人の男性患者が研究に参加した。９８０ｎｍ、１５Ｗ水冷レーザ（Visualase）を使用して、ＲＩ／ＵＳ融合誘導（Artemis）の下で、経直腸式にＦＬＡを行った。前立腺周辺ブロックに静脈内ミダゾラムを補充した。カスタムソフトウェアを創り、４つの間質性熱プローブを使用して、治療温度をリアルタイムに監視した。少なくとも１つのプローブを直腸壁に隣接して配置して安全性を評価し、１つのプローブをレーザファイバと平行に配置してレーザ先端での温度を監視した。ダイナミックコントラスト強調（ＤＣＥ）を含むマルチパラメトリックＭＲＩを治療後に行った。
【０１３７】
インシデント又は重大の有害事象のない４人の患者においてＦＬＡを成功裡に行った。各患者において、３分の２〜３回のレーザ適用をそれぞれ用いた。最初の超音波スキャンからプローブ除去までの総処置時間は、平均９３分（範囲、９１〜１００分）であり、患者は、治療の４時間内に退院した。治療後のＤＣＥ  ＭＲＩ（図３２Ｂ）で見られるアブレーション容積は、平均３．８ｃｃ（範囲、２．５〜４．７ｃｃ）であった。レーザ先端に隣接する熱プローブは、いずれの場合においても６０℃を超える温度を記録した。直腸壁温度は、いずれの患者においても４２℃を超えなかった。
【０１３８】
ＭＲＩ／ＵＳ融合誘導下の泌尿器科クリニック設定におけるＦＬＡは、実現可能であり、４人の男性において安全に行われた。熱プローブ記録は確実で便利であることが分かり、ＭＲＩ温度測定をＦＬＡと置換する能力を実証した。前立腺癌の病巣療法が泌尿器科的処置のままである可能性を実証した。
【０１３９】
（例６：前立腺癌におけるＭＲＩ−全器官関係を定める３Ｄ印刷された患者特異的な前立腺モデル）
根治的前立腺切除術を受けた６５人の男性（中央値６１歳、４４〜７９歳の範囲）の前立腺を、患者特異的な３Ｄ印刷モデルを使用して精密に切断した。これらのモデルを術前ｍｐＭＲＩ輪郭（図３３Ａ）から生成し、各スライスはＭＲ画像平面に対応した（図３３Ｂ）。腫瘍をホールマウントスライド(whole  mount  slides)上に描写し（図３３Ｃ）、デジタル的に再構成し（図３３Ｄ）、ＭＡＴＬＡＢソフトウェアを使用して対応するＭＲＩ病変（ＵＣＬＡグレード３〜５）と一致させた。全ての患者は以前に治療を受けておらず、平均前立腺容積は４０ｃｃ（範囲１９〜１１０ｃｃ）であった。
【０１４０】
９１のＭＲＩ病変及び１２６の実際の腫瘍を６５人の男性において空間的に相関させた。予測精度を腫瘍毎に図３５に要約した。臨床的に有意な前立腺癌（ｃｓＣａＰ）、即ち、あらゆるグリーソン合計（ＧＳ）≧７又はあらゆるＧＳ６≧０．５ｃｃが患者の８８％において見出された。患者の３０％において、少なくとも１つのｃｓＣａＰ腫瘍はＭＲＩで検出されず、これらの腫瘍の平均容積は１．９ｃｃ（範囲０．５〜６．９ｃｃ）であった。全てのｃｓＣａＰの検出のために、ＭＲＩ感受性(MRI  sensitivity)は７６％であり、特に６４％であった。更に、ｃｓＣａＰについてのＭＲＩ感受性及び特異性(specificity)は、ｍｐＭＲＩ疑惑スコア(suspicion  score)と共に増加した（図３４）。
【０１４１】
患者特異的な３Ｄ印刷モールドは、正確なＭＲ組織学相関及びｍｐＭＲＩの予測有用性の厳密な評価を可能にする。腫瘍の大部分はＭＲＩ上で検出され、殆どの検出されなかった腫瘍は小さい容積及び／又はグリーソン３＋３であった。しかしながら、患者の３０％において、少なくとも１つの臨床的に有意な腫瘍領域がｍｐＭＲＩで見逃された。
【０１４２】
（例７：ＭＲＩ−病理学相関を通じて病巣療法限界を通知すること）
マルチパラメトリックＭＲＩ（ｍｐＭＲＩ）は、前立腺癌（ＣａＰ）を撮像し、標的化された介入を誘導する、ロバストな方法である。以下の研究は、ＭＲＩ可視関心領域（ＲＯＩ）と既知のＣａＰの領域との間の空間的関係を調査し、効果的な病巣療法に必要な治療限界を特徴付ける。
【０１４３】
根治的前立腺切除に先立ち、６５人の男性がｍｐＭＲＩを受け、それらのうちから、放射線科医は、前立腺嚢(prostate  capsule)及びＣａＰの疑いがある部位の輪郭を描いた。次に、患者のＭＲＩからカスタム鋳型(custom  mold)を３Ｄ印刷し、外科標本(surgical  specimen)の精密な切出し(sectioning)のために使用した。この鋳型は、描いたスライド（図３６Ａ）と術前ｍｐＭＲＩ（図３６Ｂ）との正確な整合を容易にした。病理学上発見された全ての腫瘍は３Ｄにおいてデジタル式に再構築され、対応するＭＲＩ標的（ｎ＝７１）と整合した。カスタムソフトウェアを使用して全ての表面の幾何学的構成及び各ＭＲＩ標的と一致した腫瘍との間の最大距離を決定した。
【０１４４】
ＲＯＩ及び腫瘍の空間的構成を図３７に要約する。前立腺嚢の平均容積及び最長軸は、ＭＲＩ測定と密接に対応したが、ＣａＰの平均容積は、ＲＯＩ予測よりも２．７倍だけ大きかった。ＭＲＩ上の平均最長軸が１６．８ｍｍであることが見出されたのに対し、病理学上の最長軸は２７．５ｍｍであった。腫瘍の非対称性の故に、ＣａＰは、少なくとも１つの軸に沿ってＲＯＩを超えて平均１５ｍｍだけ延びた（図３６Ｃ）。遡及的に、これらの腫瘍拡張の少数のみがＭＲＩ上で特定可能であった。
【０１４５】
ＭＲＩは、ＣａＰ容積を２．７倍だけ過小評価した（ＭＲＩで０．９ｃｃであるのに対し病理学で２．４ｃｃ）。 ＭＲＩ標的化のみを使用すると、効果的な病巣療法は、ＲＯＩの周りに実質的な限界を含む必要がある（中央値１５ｍｍ）。実際には、腫瘍の非対称性を特徴付けるために、追跡された生検情報又はより良い撮像を使用して、この限界を減少させることができる。
【０１４６】
本明細書で引用したありとあらゆる特許、特許出願、及び公報の開示の全体を本明細書中に参照として援用する。特定の実施形態を参照してこの発明を開示したが、この発明の他の実施形態及び変形が本発明の真正な精神及び範囲から逸脱せずに当業者によって考案される場合があることが明らかである。添付の請求項は、全てのそのような実施形態及び均等な変形を含むように解釈されることが意図されている。
【図１】
2019503795.tif 000003
【図２】
2019503795.tif 000004
【図３】
2019503795.tif 000005
【図４】
2019503795.tif 000006
【図５】
2019503795.tif 000007
【図６】
2019503795.tif 000008
【図７】
2019503795.tif 000009
【図８】
2019503795.tif 000010
【図９】
2019503795.tif 000011
【図１０】
2019503795.tif 000012
【図１１】
2019503795.tif 000013
【図１２】
2019503795.tif 000014
【図１３】
2019503795.tif 000015
【図１４】
2019503795.tif 000016
【図１５】
2019503795.tif 000017
【図１６】
2019503795.tif 000018
【図１７】
2019503795.tif 000019
【図１８】
2019503795.tif 000020
【図１９】
2019503795.tif 000021
【図２０Ａ−２０Ｆ】
2019503795.tif 000022
【図２１】
2019503795.tif 000023
【図２２】
2019503795.tif 000024
【図２３】
2019503795.tif 000025
【図２４】
2019503795.tif 000026
【図２５】
2019503795.tif 000027
【図２６】
2019503795.tif 000028
【図２７】
2019503795.tif 000029
【図２８】
2019503795.tif 000030
【図２９】
2019503795.tif 000031
【図３０】
2019503795.tif 000032
【図３１Ａ−３１Ｆ】
2019503795.tif 000033
【図３２】
2019503795.tif 000034
【図３３Ａ−３３Ｄ】
2019503795.tif 000035
【図３４】
2019503795.tif 000036
【図３５】
2019503795.tif 000037
【図３６】
2019503795.tif 000038
【図３７】
2019503795.tif 000039
【国際調査報告】
2019503795.tif 000040
2019503795.tif 000041
2019503795.tif 000042